(57)【要約】  医用画像認識方法は、認識対象医用画像集合を取得するステップであって、認識対象医用画像集合は少なくとも１つの認識対象医用画像を含む、ステップ（１０１）と、認識対象医用画像集合中の各認識対象医用画像に対応する認識対象領域を抽出するステップであって、認識対象領域は認識対象医用画像中の一部の画像である、ステップ（１０２）と、医用画像認識モデルで各認識対象領域の認識結果を決定するステップであって、医用画像認識モデルは医用画像サンプル集合に基づいてトレーニングして得られたものであり、医用画像サンプル集合は少なくとも１つの医用画像サンプルを含み、各医用画像サンプルに、対応するアノテーション情報が含まれ、アノテーション情報は医用画像サンプルのタイプを示すためのものであり、認識結果は認識対象医用画像のタイプを示すためのものである、ステップ（１０３）とを含む。さらに、モデルのトレーニング方法及びサーバを開示する。手動アノテーションのコストと時間コストを大幅に節約し、高い確実性と正確性を有する。
2021518966.tif 000002
【特許請求の範囲】
【請求項１】
コンピュータ装置が実行する医用画像認識方法であって、
認識対象医用画像集合を取得するステップであって、前記認識対象医用画像集合は、少なくとも１つの認識対象医用画像を含む、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを含む、ことを特徴とする認識方法。
【請求項２】
認識対象医用画像集合を取得する前記ステップの前に、前記方法は、
認識対象オリジナル医用画像集合を取得するステップであって、前記認識対象オリジナル医用画像集合は、少なくとも１つの認識対象オリジナル医用画像を含む、ステップと、
前記認識対象オリジナル医用画像集合中の各認識対象オリジナル医用画像のラベル情報を取得するステップであって、前記ラベル情報は、前記認識対象オリジナル医用画像に関連する情報を含む、ステップと、
前記認識対象オリジナル医用画像集合から前記認識対象医用画像集合を取得するまで、前記認識対象オリジナル医用画像のラベル情報がサンプル抽出条件を満足すれば、前記認識対象オリジナル医用画像を前記認識対象医用画像として決定するステップとを更に含む、ことを特徴とする請求項１に記載の認識方法。
【請求項３】
認識対象医用画像集合を取得する前記ステップの前に、前記方法は、
認識対象オリジナル医用画像集合を取得するステップであって、前記認識対象オリジナル医用画像集合は、少なくとも１つの認識対象オリジナル医用画像を含む、ステップと、
前記認識対象オリジナル医用画像集合中の各認識対象オリジナル医用画像のラベル情報を取得するステップであって、前記ラベル情報は、前記認識対象オリジナル医用画像に関連する情報を含む、ステップと、
前記認識対象オリジナル医用画像のラベル情報がサンプル抽出条件を満足すれば、前記認識対象オリジナル医用画像を目標医用画像とマッチングするステップであって、前記目標医用画像は、予め設定された画像テンプレートである、ステップと、
前記認識対象オリジナル医用画像集合から前記認識対象医用画像集合を取得するまで、前記認識対象オリジナル医用画像と前記目標医用画像とのマッチングに成功すれば、前記認識対象オリジナル医用画像を前記認識対象医用画像として決定するステップとを更に含む、ことを特徴とする請求項１に記載の認識方法。
【請求項４】
前記認識対象医用画像集合中の各認識対象医用画像に対応する認識対象領域を抽出する前記ステップは、
所定の反射値に基づいて前記認識対象医用画像集合中の各認識対象医用画像を二値化処理し、前記各認識対象医用画像に対応する二値医用画像を取得するステップと、
目標医用画像を用いて各二値医用画像をマッチングして、前記各二値医用画像に対応する処理対象領域を抽出するステップであって、前記目標医用画像は、予め設定された画像テンプレートである、ステップと、
各処理対象領域に対して画像平滑化処理を行って、前記各処理対象領域に対応する抽出対象輪郭を生成するステップであって、前記画像平滑化処理は、前記各処理対象領域に対するオープニング処理又はクロージング処理のうちの少なくとも一方を含む、ステップと、
各抽出対象輪郭を用いて前記各認識対象医用画像から、対応する前記認識対象領域をそれぞれ抽出するステップとを含む、ことを特徴とする請求項１に記載の認識方法。
【請求項５】
前記認識対象医用画像集合中の各認識対象医用画像に対応する認識対象領域を抽出する前記ステップの後、前記方法は、
前記認識対象領域が第１の所定領域以上であれば、前記認識対象領域を縮小処理し、
前記認識対象領域が第２の所定領域以下であれば、前記認識対象領域を拡大処理するステップを更に含む、ことを特徴とする請求項１に記載の認識方法。
【請求項６】
前記認識対象医用画像集合中の各認識対象医用画像に対応する認識対象領域を抽出する前記ステップの後、前記方法は、
各認識対象領域に対応する反射値の区間を取得するステップであって、前記反射値の区間の最大値は第１の反射値であり、前記反射値の区間の最小値は第２の反射値である、ステップと、
前記反射値の区間に基づいて前記各認識対象領域を正規化処理して、正規化領域を得るステップと、を更に含み、
医用画像認識モデルで、各認識対象領域の認識結果を決定する前記ステップは、
前記医用画像認識モデルで、前記各認識対象領域の正規化領域に対応する認識結果を決定するステップを含み、
前記反射値の区間に基づいて前記各認識対象領域を正規化処理して、正規化領域を得る前記ステップは、
【数１】
2021518966.tif 000015
という式により前記正規化領域を得るステップであって、前記ｘｏｕｔは前記正規化領域を表し、前記ｘは前記認識対象領域の画素点の値を表し、前記ｘｍａｘは前記第１の反射値を表し、前記ｘｍｉｎは前記第２の反射値を表す、ステップを含む、ことを特徴とする請求項１から５のいずれか一項に記載の認識方法。
【請求項７】
コンピュータ装置が実行するモデルのトレーニング方法であって、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを含む、ことを特徴とする方法。
【請求項８】
前記各医用画像サンプルに対応するトレーニング対象領域と、前記各医用画像サンプルに含まれる対応するアノテーション情報とに基づいて、トレーニングして医用画像認識モデルを取得する前記ステップは、
確率的勾配降下アルゴリズムＳＧＤで、残差ネットワークｒｅｓｎｅｔ−１８構造により、前記各医用画像サンプルに対応するトレーニング対象領域と、前記各医用画像サンプルに含まれる対応するアノテーション情報とをトレーニングして、トレーニング結果を取得するステップと、
前記トレーニング結果に基づいて、複数の検証セット損失値を取得するステップと、
前記複数の検証セット損失値に基づいて、前記医用画像認識モデルを決定するステップとを含む、ことを特徴とする請求項７に記載の方法。
【請求項９】
前記複数の検証セット損失値に基づいて、前記医用画像認識モデルを決定する前記ステップは、
前記複数の検証セット損失値から、目標検証セット損失値を決定するステップであって、前記目標検証セット損失値は、前記複数の検証セット損失値のうちの最小値である、ステップと、
前記目標検証セット損失値に対応するトレーニング結果を前記医用画像認識モデルとして決定するステップとを含む、ことを特徴とする請求項８に記載の方法。
【請求項１０】
前記各医用画像サンプルに対応するトレーニング対象領域と、前記各医用画像サンプルに含まれる対応するアノテーション情報に基づいて、トレーニングして医用画像認識モデルを取得するステップの後、前記方法は、
認識対象医用画像集合を取得するステップであって、前記認識対象医用画像集合に、少なくとも１つの認識対象医用画像が含まれる、ステップと、
前記認識対象医用画像集合中の各認識対象医用画像に対応する認識対象領域を抽出するステップであって、前記認識対象領域は、前記認識対象医用画像中の一部の画像である、ステップと、
前記医用画像認識モデルで、各認識対象領域の認識結果を決定するステップであって、前記認識結果は、認識対象医用画像のタイプを示すためのものである、ステップとを更に含む、ことを特徴とする請求項７に記載の方法。
【請求項１１】
プログラムを記憶しているメモリと、
プロセッサと、を含むコンピュータ装置であって、
前記プロセッサは、前記メモリに記憶されているプログラムを実行して、
認識対象医用画像集合を取得するステップであって、前記認識対象医用画像集合は、少なくとも１つの認識対象医用画像を含む、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを実行する、ことを特徴とするコンピュータ装置。
【請求項１２】
前記プロセッサは、さらに、
認識対象オリジナル医用画像集合を取得するステップであって、前記認識対象オリジナル医用画像集合は、少なくとも１つの認識対象オリジナル医用画像を含む、ステップと、
前記認識対象オリジナル医用画像集合中の各認識対象オリジナル医用画像のラベル情報を取得するステップであって、前記ラベル情報は、前記認識対象オリジナル医用画像に関連する情報を含む、ステップと、
前記認識対象オリジナル医用画像集合から前記認識対象医用画像集合を取得するまで、前記認識対象オリジナル医用画像のラベル情報がサンプル抽出条件を満足すれば、前記認識対象オリジナル医用画像を前記認識対象医用画像として決定するステップとを実行する、ことを特徴とする請求項１１に記載のコンピュータ装置。
【請求項１３】
前記プロセッサは、さらに、
認識対象オリジナル医用画像集合を取得するステップであって、前記認識対象オリジナル医用画像集合は、少なくとも１つの認識対象オリジナル医用画像を含む、ステップと、
前記認識対象オリジナル医用画像集合中の各認識対象オリジナル医用画像のラベル情報を取得するステップであって、前記ラベル情報は、前記認識対象オリジナル医用画像に関連する情報を含む、ステップと、
前記認識対象オリジナル医用画像のラベル情報がサンプル抽出条件を満足すれば、前記認識対象オリジナル医用画像を目標医用画像とマッチングするステップであって、前記目標医用画像は、予め設定された画像テンプレートである、ステップと、
前記認識対象オリジナル医用画像集合から前記認識対象医用画像集合を取得するまで、前記認識対象オリジナル医用画像と前記目標医用画像とのマッチングに成功すれば、前記認識対象オリジナル医用画像を前記認識対象医用画像として決定するステップとを実行する、ことを特徴とする請求項１１に記載のコンピュータ装置。
【請求項１４】
前記プロセッサは、
所定の反射値に基づいて前記認識対象医用画像集合中の各認識対象医用画像を二値化処理し、前記各認識対象医用画像に対応する二値医用画像を取得するステップと、
目標医用画像を用いて各二値医用画像をマッチングして、前記各二値医用画像に対応する処理対象領域を抽出するステップであって、前記目標医用画像は、予め設定された画像テンプレートである、ステップと、
各処理対象領域に対して画像平滑化処理を行って、前記各処理対象領域に対応する抽出対象輪郭を生成するステップであって、前記画像平滑化処理は、前記各処理対象領域に対するオープニング処理又はクロージング処理のうちの少なくとも一方を含む、ステップと、
各抽出対象輪郭を用いて前記各認識対象医用画像から、対応する前記認識対象領域をそれぞれ抽出するステップとを実行する、ことを特徴とする請求項１１に記載のコンピュータ装置。
【請求項１５】
前記プロセッサは、さらに、
前記認識対象領域が第１の所定領域以上であれば、前記認識対象領域を縮小処理し、
前記認識対象領域が第２の所定領域以下であれば、前記認識対象領域を拡大処理するステップを実行する、ことを特徴とする請求項１１に記載のコンピュータ装置。
【請求項１６】
前記プロセッサは、さらに、
各認識対象領域に対応する反射値の区間を取得するステップであって、前記反射値の区間の最大値は第１の反射値であり、前記反射値の区間の最小値は第２の反射値である、ステップと、
前記反射値の区間に基づいて前記各認識対象領域を正規化処理して、正規化領域を得るステップとを実行し、
前記プロセッサは、
前記医用画像認識モデルで、前記各認識対象領域の正規化領域に対応する認識結果を決定するステップを実行し、
前記プロセッサは、
【数２】
2021518966.tif 000016
という式により前記正規化領域を得るステップであって、前記ｘｏｕｔは前記正規化領域を表し、前記ｘは前記認識対象領域の画素点の値を表し、前記ｘｍａｘは前記第１の反射値を表し、前記ｘｍｉｎは前記第２の反射値を表す、ステップを実行する、ことを特徴とする請求項１１に記載のコンピュータ装置。
【請求項１７】
プログラムを記憶しているメモリと、
プロセッサと、を含むコンピュータ装置であって、
前記プロセッサは、前記メモリに記憶されているプログラムを実行して、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを実行する、ことを特徴とするコンピュータ装置。
【請求項１８】
画像処理装置と、
医用画像を走査し、前記画像処理装置に前記医用画像を送信するための画像走査装置と、を含む医用画像認識システムであって、
前記画像処理装置は、
認識対象医用画像集合を取得するステップであって、前記認識対象医用画像集合は、少なくとも１つの認識対象医用画像を含む、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを実行し、
もしくは、前記画像処理装置は、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを実行する、ことを特徴とする医用画像認識システム。
【請求項１９】
プロセッサによってロードされ実行されると、
認識対象医用画像集合を取得するステップであって、前記認識対象医用画像集合は、少なくとも１つの認識対象医用画像を含む、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを実現する少なくとも１つのプログラムコードが記憶されている、ことを特徴とするコンピュータ可読記憶媒体。
【請求項２０】
プロセッサによってロードされ実行されると、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを実現する少なくとも１つのプログラムコードが記憶されている、ことを特徴とするコンピュータ可読記憶媒体。
【発明の詳細な説明】
【技術分野】
【０００１】
本願は、２０１８年１１月１日に提出された、出願番号が２０１８１１２９６２６３６、発明の名称が「医用画像認識方法、モデルトレーニング方法及びサーバ」である中国特許出願に基づく優先権を主張するものであり、その全ての内容は、参照により本願に組み込まれるものとする。
【０００２】
本願は、人工知能の分野に関し、特に医用画像認識方法、モデルトレーニング方法及びコンピュータ装置に関する。
【背景技術】
【０００３】
コンピュータ断層撮影（ｃｏｍｐｕｔｅｄ  ｔｏｍｏｇｒａｐｈｙ、ＣＴ）、核磁気共鳴イメージング（ｍａｇｎｅｔｉｃ  ｒｅｓｏｎａｎｃｅ  ｉｍａｇｉｎｇ、ＭＲＩ）及び超音波（ｕｌｔｒａｓｏｎｉｃ、ＵＳ）などの医用イメージング技術の出現や飛躍的な発展に伴い、病院には臨床診断と分析に利用可能な大量の医用画像が発生し、蓄積されている。近年、コンピュータ及びその関連技術の急速な発展やグラフィックス技術の日々の成熟に伴い、医療従事者は、医用画像を多方面、多階層、多角度から観察することにより、医師が病変変異体及び他の関心領域を重点的に分析することを支援できるようになり、臨床診断の正確性を向上させている。
【０００４】
現在、医用画像の認識につき、主に医療従事者が医用画像をアノテーションして異常状況を取得してから、異常状況を医療機関又は医学専門家にフィードバックして確認させ、最後に、大型の映像センターが確認後の医用画像を分類して記憶して、分析と研究に供する。
【０００５】
しかしながら、大量の医療画像は、医療従事者が多くの時間を消費してアノテーションする必要があるため、アノテーションのコストが高くなる。また、医用画像を手動でアノテーションするときに間違いが生じやすいため、医用画像の認識の確実性と正確性が低下する。
【発明の概要】
【発明が解決しようとする課題】
【０００６】
本願の実施例は、医用画像認識方法、モデルトレーニング方法及びコンピュータ装置を提供し、手動アノテーションのコストと時間コストを大幅に節約することができる。また、該モデルを用いる医用画像の認識は、様々なシーンに適用することができ、認識の正確率は使用者によってばらつくことがなく、高い確実性と正確性を有する。
【課題を解決するための手段】
【０００７】
一態様では、
コンピュータ装置が実行する医用画像認識方法であって、
認識対象医用画像集合を取得するステップであって、前記認識対象医用画像集合は、少なくとも１つの認識対象医用画像を含む、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップと、を含む医用画像認識方法を提供する。
【０００８】
一態様では、
コンピュータ装置が実行するモデルのトレーニング方法であって、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップと、を含むモデルのトレーニング方法を提供する。
【０００９】
一態様では、
認識対象医用画像集合を取得する取得モジュールであって、前記認識対象医用画像集合に、少なくとも１つの認識対象医用画像が含まれる取得モジュールと、
前記取得モジュールによって取得された前記認識対象医用画像集合中の各認識対象医用画像に対応する認識対象領域を抽出する抽出モジュールであって、前記認識対象領域は、前記認識対象医用画像中の一部の画像である抽出モジュールと、
医用画像認識モデルで、前記抽出モジュールによって抽出された各認識対象領域の認識結果を決定する決定モジュールであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである決定モジュールと、を含むコンピュータ装置を提供する。
【００１０】
一態様では、
トレーニング対象の医用画像サンプル集合を取得する取得モジュールであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである取得モジュールと、
前記取得モジュールによって取得された前記医用画像サンプル集合中の各医用画像サンプルに対応するトレーニング対象領域を抽出する抽出モジュールであって、前記トレーニング対象領域は、前記医用画像サンプル中の一部の画像である抽出モジュールと、
前記抽出モジュールによって抽出された前記各医用画像サンプルに対応するトレーニング対象領域と、前記各医用画像サンプルに含まれる対応するアノテーション情報とに基づいて、トレーニングして医用画像認識モデルを取得するトレーニングモジュールと、を含むコンピュータ装置を提供する。
【００１１】
一態様では、
プログラムを記憶しているメモリと、
プロセッサと、を含むコンピュータ装置であって、
前記プロセッサは、前記メモリに記憶されているプログラムを実行して、
認識対象医用画像集合を取得するステップであって、前記認識対象医用画像集合に、少なくとも１つの認識対象医用画像が含まれる、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを実行するコンピュータ装置を提供する。
【００１２】
一態様では、
プログラムを記憶しているメモリと、
プロセッサと、を含むコンピュータ装置であって、
前記プロセッサは、前記メモリに記憶されているプログラムを実行して、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを実行するコンピュータ装置を提供する。
【００１３】
一態様では、
画像処理装置と、
医用画像を走査し、前記画像処理装置に前記医用画像を送信するための画像走査装置と、を含む医用画像認識システムであって、
前記画像処理装置は、
認識対象医用画像集合を取得するステップであって、前記認識対象医用画像集合に、少なくとも１つの認識対象医用画像が含まれる、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを実行し、
もしくは、前記画像処理装置は、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを実行する医用画像認識システムを提供する。
【００１４】
一態様では、プロセッサによってロードされ実行されると、
認識対象医用画像集合を取得するステップであって、前記認識対象医用画像集合に、少なくとも１つの認識対象医用画像が含まれる、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを実現する少なくとも１つのプログラムコードが記憶されているコンピュータ可読記憶媒体を提供する。
【００１５】
一態様では、プロセッサによってロードされ実行されると、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを実現する少なくとも１つのプログラムコードが記憶されているコンピュータ可読記憶媒体を提供する。
【図面の簡単な説明】
【００１６】
【図１】本願の実施例における医用画像認識システムのアーキテクチャ概略図である。
【図２】本願の実施例が肺癌早期スクリーニング項目に適用される適用シーンの概略図である。
【図３】本願の実施例が映像センターのデータ整理に適用されるシーンの概略図である。
【図４】本願の実施例における医用画像認識方法の一実施例の概略図である。
【図５】本願の実施例における医用画像の認識フローの概略図である。
【図６】本願の実施例におけるモデルトレーニング方法の一実施例の概略図である。
【図７】本願の実施例における医用画像認識モデルのトレーニングフローの概略図である。
【図８】本願の実施例における医用画像サンプルの決定フローの概略図である。
【図９】本願の実施例におけるトレーニング対象領域の抽出フローの概略図である。
【図１０】本願の実施例におけるトレーニング対象領域の調整フローの概略図である。
【図１１】本願の実施例における医用画像認識モデルの構築フローの概略図である。
【図１２】本願の実施例における医用画像認識モデルのロードフローの概略図である。
【図１３】本願の実施例におけるコンピュータ装置の一実施例の概略図である。
【図１４】本願の実施例におけるコンピュータ装置の別の実施例の概略図である。
【図１５】本願の実施例におけるコンピュータ装置の別の実施例の概略図である。
【図１６】本願の実施例におけるコンピュータ装置の別の実施例の概略図である。
【図１７】本願の実施例におけるコンピュータ装置の別の実施例の概略図である。
【図１８】本願の実施例におけるコンピュータ装置の概略構成図である。
【発明を実施するための形態】
【００１７】
本願の実施例は、医用画像認識方法、モデルトレーニング方法及びコンピュータ装置を提供し、手動アノテーションのコストと時間コストを大幅に節約することができる。また、該モデルを用いる医用画像の認識は、様々なシーンに適用することができ、認識の正確率は使用者によってばらつくことがなく、高い確実性と信頼性を有する。
【００１８】
本願の明細書、特許請求の範囲及び上記図面における「第１」、「第２」、「第３」、「第４」など（存在すれば）の用語は、類似の対象を区別するためのもので、特定の順序又は前後順を限定するものではない。なお、ここで説明する本願の実施例が図面に示すか又は説明した順とは異なる順でも実現できるように、このように使用されるデータは適切な状況で交換可能である。また、「含む」、「有する」及びそれらの任意の変形は、非排他的に含むことをカバーするものであり、例えば、一連のステップ又はユニットを含むプロセス、方法、システム、製品又は機器は、それらのステップ又はユニットを明確に例示したものに限定されず、明確に例示していない又はこれらのプロセス、方法、製品又は機器に固有の他のステップ又はユニットを含んでもよいことを表す。
【００１９】
なお、本願の実施例は、医用画像処理のシーンに適用することができる。医療検査装置の継続的な研究発展と検査技術の継続的な進歩に伴い、医用画像データは爆発的に急増している。大量の医用画像データの需要下で、多くの無関係な画像データが混入したり、自体の研究に反するサンプルが混入したりすることが避けられない。これらのデータを効果的に削除してこそ、データセット全体を研究計算、トレーニング及び推定に用いることができるため、実際の過程において、人々は大量の人力、物力及び財力を消費して、既存のデータに再スクリーニング及び削除を行い、精確なアノテーションの方法でデータに「二次加工」を行って、データの精度の要求を満足させざるを得ない。
【００２０】
具体的には、図１を参照して、図１は、本願の実施例における医用画像認識システムのアーキテクチャ概略図であり、図１に示すように、医療検査装置により大量の医用画像を取得することができ、なお、医用画像は、ＣＴ画像、ＭＲＩ画像及びＵＳ画像を含むが、これらに限定されない。
【００２１】
ＣＴ画像は、黒から白まで異なる階調の画素が一定数でマトリクス配列されて構成される。これらの画素は、対応するボクセルのＸ線吸収係数を反映する。ＣＴ画像は、異なる階調で表され、器官や組織のＸ線を吸収する度合いを反映する。したがって、Ｘ線画像に示す黒白画像と同様に、黒い影は、気体を多く含む肺部などの低吸収領域、即ち低密度領域を表し、白い影は、骨格などの高吸収領域、即ち高密度領域を表す。しかしながら、ＣＴ画像は、Ｘ線画像に比べて、ＣＴの密度解像度が高く、つまり、高い密度解像度を有する。したがって、ＣＴ画像は、脳、脊髄、縦隔、肺、肝、胆、膵臓及び骨盤部器官などの軟組織からなる器官をよりよく表示し、良好な解剖画像背景上に病変の画像を表示することができる。
【００２２】
ＭＲＩ画像は、全身各系統のイメージング診断に適用されている。効果が最適であるのは、頭蓋脳、脊髄、心臓大血管、関節骨格、軟組織及び骨盤腔などである。心血管疾患に対して、各腔室、大血管及び弁膜の解剖的変化を観察するだけでなく、心室分析について撮影し、定性及び半定量的な診断を行うことができ、複数の断面図を撮影することができ、空間解像度が高く、心臓及び病変全体、それと周囲構造との関係を表示し、他のＸ線イメージング、二次元超音波、核種及びＣＴ検査よりも優れている。脳脊髄の病変を診断するときに、冠状面、矢状面及び横断面の画像を撮影することができる。
【００２３】
ＵＳ画像は、媒質中の音響パラメータの違いを反映することができ、光学、Ｘ線及びγ線などと異なる情報を取得することができる。超音波は、人体の軟組織に対して良好な解像度を有するため、生体組織の微小な病変の認識に有利である。超音波画像は、生体組織を表示する際に染色処理を行なわなくても、必要な画像を得ることができる。
【００２４】
医療検査装置は、医用画像をコンピュータ装置に送信し、コンピュータ装置中のトレーニングして得られるモデルで、これらの医用画像を認識し分類してから、サーバにより画像認識結果を端末装置に送信し、端末装置は認識結果に基づいてレポートを生成しプリントアウトすることができ、表示画面に直接認識結果を表示することもできる。なお、端末は、パームトップ型パソコン、携帯電話、プリンター、パーソナルコンピュータ、ノート型コンピュータ及びタブレットコンピュータを含むが、これらに限定されない。
【００２５】
なお、医用画像認識システムに含まれる医療検査装置、コンピュータ装置及び端末装置は、３台の独立した装置であってもよく、同一のシステム内に集積されてもよく、ここで限定しない。
【００２６】
なお、本願は、具体的には、肺癌早期スクリーニング項目のデータスクリーニング、及び医療映像センターに行われる医用画像データのアーカイブ及び確認又は履歴データの整理に適用することができる。
【００２７】
理解を容易にするために、図２を参照して、図２は本願の実施例を肺癌早期スクリーニング項目に適用したシーンの概略図であり、図２に示すように、ステップＡ１において、まず、医療検査装置により肺部に関する生データセットを大量収集し、その後にステップＡ２において、生データセットを肺部ＣＴ画像異常検査システムに入力し、該システムにおいて本願に係る医用画像認識モデルが実行しており、該医用画像認識モデルを用いて生データセットを分類することができる。ステップＡ３において、分類した結果を肺癌スクリーニングシステムに入力し、肺癌スクリーニングシステムにより分類結果を統計しスクリーニングすることにより、肺癌リスクを有する状況を推定する。それに応じて、肺部ＣＴ画像異常検査システムを用いて検査するときに、さらに、分類条件を満足しない画像をスクリーニングすることができ、つまり、ステップＡ４において異常の肺部画像をスクリーニングし削除することにより、検査の信頼性を保証する。
【００２８】
図３を参照して、図３は本願の実施例が映像センターのデータ整理に適用されるシーンの概略図であり、図３に示すように、ステップＢ１において、まず、医療検査装置により肺部に関する生データセットを大量収集し、その後にステップＢ２において、生データセットを肺部ＣＴ画像異常検査システムに入力し、該システムにおいて本願に係る医用画像認識モデルが実行しており、該医用画像認識モデルを用いて生データセットを分類することができる。ステップＢ３において、肺部ＣＴ画像を、「正常肺部」と「異常肺部」に応じて区分し、その後に、「異常肺部」のＣＴ画像を疾患特性及び疾患タイプに応じて具体的に分類することにより、肺部ＣＴ画像の疾患による分類を実現し、肺癌早期スクリーニングにおいて発生可能なノイズエイリアシングの問題を減少させる。各種類の肺部画像を、気管支拡張、肺気腫、無気肺、滲出、硬化、異形成症、線維症、石灰化、腫物、結節、空洞、空腔、胸膜滲出液、水気胸及び気胸などの症状に分けることができる。これにより、医師が各種類の疾患の肺部画像を分類することを支援又は代行し、医師が仕事量を減らし効率を向上させることを支援すると共に、アノテーション結果の正確性を向上させる。
【００２９】
理解できるように、本願は肺部画像を例として説明するが、実際の適用において、医用画像は、胃部画像、腹部画像又は脳部画像などであってもよく、ここで、肺部画像を医用画像とすることは一例に過ぎず、本願を限定するものと理解すべきではない。
【００３０】
本願に係る医用画像認識方法は、コンピュータ装置に適用され、該コンピュータ装置はサーバであってよく、以下、サーバの角度から該医用画像認識方法を説明し、図４を参照して、本願の実施例における医用画像認識方法の一実施例は、１０１〜１０３を含む。
【００３１】
１０１、少なくとも１つの認識対象医用画像を含む認識対象医用画像集合を取得する。
【００３２】
本実施例では、サーバは認識対象医用画像集合を取得し、なお、ここの認識対象医用画像集合は、１つのみの認識対象医用画像を含んでもよく、複数の認識対象医用画像を含んでもよく、該医用画像はＣＴ画像、ＭＲＩ画像又はＵＳ画像であってよい。認識対象医用画像は、具体的には、肺部画像、胃部画像、脳部画像、肝臓画像又は心臓画像などであってよく、本願の実施例は肺部画像を例として説明するが、これが本願を限定するものと理解すべきではない。
【００３３】
１０２、認識対象医用画像集合中の各認識対象医用画像に対応する、認識対象医用画像中の一部である認識対象領域を抽出する。
【００３４】
本実施例では、サーバは、認識対象医用画像集合を取得した後、各認識対象医用画像に対して特徴抽出を行うことにより、認識対象医用画像中の、病状特徴を反映できる一部である認識対象領域を取得する。
【００３５】
１０３、医用画像認識モデルで、各認識対象領域の認識結果を決定し、医用画像認識モデルが医用画像サンプル集合に基づいてトレーニングして得られたものであり、医用画像サンプル集合が少なくとも１つの医用画像サンプルを含み、各医用画像サンプルに、対応するアノテーション情報が含まれ、アノテーション情報が医用画像サンプルのタイプを示すためのものであり、認識結果が認識対象医用画像のタイプを示すためのものである。
【００３６】
本実施例では、サーバは各認識対象領域を医用画像モデルに入力し、該医用画像モデルで、各認識対象領域に対応する認識結果を出力し、該認識結果は、認識対象医用画像のタイプ、例えば、「正常」、「肺気腫」、「気管支拡張」又は「石灰化」などを示すことができる。医用画像認識モデルは、大量の医用画像サンプルでトレーニングして得られ、各医用画像サンプルに、対応するアノテーション情報が含まれ、例えば、１番の肺部画像サンプルのアノテーション情報が「正常」であり、２番の肺部画像サンプルのアノテーション情報が「肺気腫」であり、３番の肺部画像サンプルのアノテーション情報が「石灰化」であり、ここのアノテーション情報は、通常、手動アノテーションで取得される。
【００３７】
説明を容易にするために、図５を参照して、図５は、本願の実施例における医用画像の認識フローの概略図であり、具体的には、ステップＣ１において、まず、サーバは医療検査装置により肺部に関する生データセットを大量収集し、ステップＣ２において、ラベル情報とテンプレートマッチングにより生データセット中の各医用画像を判断することにより、認識に利用可能な肺部画像を取得しステップＣ３において、認識可能な肺部画像に対して肺部領域の分割と抽出を行い、ステップＣ４において、分割抽出後の肺部領域に対して画像補間処理と正規化処理を行い、ステップＣ５において、深層学習ネットワークを用いて、ステップＣ５で得られた肺部領域に対して分類推定を行い、最後に、ステップＣ６において、例えば、「正常」、「気管支拡張」、「肺気腫」又は「肺部空洞」など、対応する認識結果を得ることである。
【００３８】
本願の実施例では、医用画像認識方法を提供し、まず、サーバは、少なくとも１つの認識対象医用画像を含む認識対象医用画像集合を取得し、その後に、認識対象医用画像集合中の各認識対象医用画像に対応する、認識対象医用画像中の一部である認識対象領域を抽出し、最後に、医用画像認識モデルで、各認識対象領域の認識結果を決定し、医用画像認識モデルが医用画像サンプル集合に基づいてトレーニングして得られ、医用画像サンプル集合が少なくとも１つの医用画像サンプルを含み、各医用画像サンプルに、対応するアノテーション情報が含まれ、アノテーション情報が医用画像サンプルのタイプを示し、認識結果が認識対象医用画像のタイプを示す。上記方式で、医用画像認識モデルで手動アノテーションを代替すると、手動アノテーションのコストと時間コストを大幅に節約することができる。また、該モデルを用いる医用画像の認識は、様々なシーンに適用することができ、認識の正確率は使用者によってばらつくことがなく、高い確実性と正確性を有する。
【００３９】
任意選択で、上記図４に対応する実施例を基に、本願の実施例に係るモデルトレーニング方法の第１の好ましい実施例では、認識対象医用画像集合を取得するステップの前に、
認識対象オリジナル医用画像集合を取得するステップであって、認識対象オリジナル医用画像集合は、少なくとも１つの認識対象オリジナル医用画像を含む、ステップと、
認識対象オリジナル医用画像集合中の各認識対象オリジナル医用画像のラベル情報を取得するステップであって、ラベル情報は、認識対象オリジナル医用画像に関連する情報を含む、ステップと、
認識対象オリジナル医用画像集合から認識対象医用画像集合を取得するまで、認識対象オリジナル医用画像のラベル情報がサンプル抽出条件を満足すれば、認識対象オリジナル医用画像を認識対象医用画像として決定するステップとを更に含んでよい。
【００４０】
本実施例では、医用画像の前処理方法を説明し、医用画像認識のシーンでも、医用画像トレーニングのシーンでも、まず、認識のシーン又はトレーニングのシーンを満足しない医用画像を削除する必要がある。具体的には、まず、サーバは、少なくとも１つの認識対象オリジナル医用画像を含む認識対象オリジナル医用画像集合を取得し、次に各認識対象オリジナル医用画像がトレーニングのシーン又は認識のシーンを満足するか否かをそれぞれ判断する必要があり、最後に、これらのシーンを満足しない認識対象オリジナル医用画像を削除する。
【００４１】
判断過程において、認識対象オリジナル医用画像に情報照合を行って、つまり、各認識対象オリジナル医用画像に対応するラベル情報（Ｍｅｔａ情報とも呼ばれる）がサンプル抽出条件を満足するか否かを判断することができる。ラベル情報は、該認識対象オリジナル医用画像に対応する患者識別子、病院識別子、検査装置識別子、検査部位情報及び検査医師情報を含むが、これらに限定されない。ラベル情報の属性には、関連する名称と値のペアが定義されている。
【００４２】
当然のことながら、実際の適用において、認識対象オリジナル医用画像集合に非ＣＴ画像が混入していれば、これらの認識対象オリジナル医用画像を削除する必要があり、或いは、認識対象オリジナル医用画像自体が記憶などの問題により損傷していれば、同様にこれらの認識対象オリジナル医用画像を削除する必要がある。
【００４３】
任意選択で、上記図４に対応する実施例を基に、本願の実施例に係るモデルトレーニング方法の第２の好ましい実施例では、認識対象医用画像集合を取得するステップの前に、
認識対象オリジナル医用画像集合を取得するステップであって、認識対象オリジナル医用画像集合は、少なくとも１つの認識対象オリジナル医用画像を含む、ステップと、
認識対象オリジナル医用画像集合中の各認識対象オリジナル医用画像のラベル情報を取得するステップであって、ラベル情報は、認識対象オリジナル医用画像に関連する情報を含む、ステップと、
認識対象オリジナル医用画像のラベル情報がサンプル抽出条件を満足すれば、認識対象オリジナル医用画像を目標医用画像とマッチングするステップであって、目標医用画像は、予め設定された画像テンプレートである、ステップと、
認識対象オリジナル医用画像集合から認識対象医用画像集合を取得するまで、認識対象オリジナル医用画像と目標医用画像とのマッチングに成功すれば、認識対象オリジナル医用画像を認識対象医用画像として決定するステップとを更に含んでよい。
【００４４】
本実施例では、別の医用画像の前処理方法を説明するが、医用画像認識のシーンでも、医用画像トレーニングのシーンでも、まず、認識のシーン又はトレーニングのシーンを満足しない医用画像を削除する必要がある。具体的には、まず、サーバは、少なくとも１つの認識対象オリジナル医用画像を含む認識対象オリジナル医用画像集合を取得し、次に各認識対象オリジナル医用画像がトレーニングのシーン又は認識のシーンを満足するか否かをそれぞれ判断する必要があり、最後に、これらのシーンを満足しない認識対象オリジナル医用画像を削除する。
【００４５】
当然のことながら、実際の適用において、認識対象オリジナル医用画像集合に非ＣＴ画像が混入していれば、これらの認識対象オリジナル医用画像を削除する必要があり、或いは、認識対象オリジナル医用画像自体が記憶などの問題により損傷していれば、同様にこれらの認識対象オリジナル医用画像を削除する必要がある。検証過程において、ピクチャ分類モデルをトレーニングすることにより、肺部領域と他の領域の分けを行うか、ピクチャ画素統計分布の方式で認識対象オリジナル医用画像が肺部領域であるか否かを決定してもよい。
【００４６】
任意選択で、上記図４に対応する実施例を基に、本願の実施例に係るモデルトレーニング方法の第３の好ましい実施例では、認識対象医用画像集合中の各認識対象医用画像に対応する認識対象領域を抽出するステップは、
所定の反射値に基づいて認識対象医用画像集合中の各認識対象医用画像を二値化処理し、各認識対象医用画像に対応する二値医用画像を取得するステップと、
目標医用画像を用いて各二値医用画像をマッチングして、各二値医用画像に対応する処理対象領域を抽出するステップであって、目標医用画像は、予め設定された画像テンプレートである、ステップと、
各処理対象領域に対して画像平滑化処理を行って、各処理対象領域に対応する抽出対象輪郭を生成するステップであって、画像平滑化処理は、各処理対象領域に対するオープニング処理又はクロージング処理のうちの少なくとも一方を含む、ステップと、
各抽出対象輪郭を用いて各認識対象医用画像から、対応する認識対象領域をそれぞれ抽出するステップとを含んでよい。
【００４７】
本実施例では、認識対象オリジナル医用画像に有効性検証を行われば、認識対象医用画像を取得することができ、少なくとも１つの認識対象医用画像が認識対象医用画像サンプル集合を構成することができる。次に、さらに、各認識対象医用画像から、認識対象領域（例えば、肺部領域）を抽出する必要がある。肺野以外の領域により発生可能なノイズを効果的に除去し、後続のモデルの判断をより正確し、肺野以外の計算量を低減するためである。
【００４８】
認識対象医用画像から認識対象領域（又はトレーニング対象領域）を抽出することを例として、まず、医用画像サンプルに対して二値化分離を行い、つまり、医用画像サンプルに適切な閾値方法で二値化分離を行う。異なる器官組織は、異なる反射値（例えば、ＣＴ値）を有し、ＣＴ値に基づいて医用画像サンプルから肺部の概形を見つけ出すことができる。肺部に対する所定の反射値が３０ハンスフィールド単位（Ｈｕ）であれば、Ｈｕが３０の二値医用画像を抽出する。
【００４９】
続いて、肺葉領域を抽出した処理対象領域を平滑化処理して、処理対象領域に対応する抽出対象輪郭を得て、具体的には、各処理対象領域に対してオープニング処理又はクロージング処理を行うこと、又はオープニング処理とクロージング処理を同時に行うことを含む。オープニングは、画像の輪郭を滑らかにし、狭い結合部分を分離し、細い突起部分を除去することができる。構造要素Ｂを用いて集合Ａに対してオープニングを行うことは、
【数１】
2021518966.tif 000003
と定義され、
まず、Ｂを用いてＡに対して収縮を行い、その後にＢを用いて結果に対して膨張を行うという意味である。
【００５０】
クロージングは、同様に画像の輪郭を滑らかにするが、オープニングとは逆に、狭い途切れと細長い凹みを埋め、小さい穴を除去すると共に、輪郭線中の隙間を埋めることができる。構造要素Ｂを用いて集合Ａにクロージングを行うことは、
【数２】
2021518966.tif 000004
と定義され、
まず、Ｂを用いてＡに対して膨張を行い、その後にＢを用いて結果に対して収縮を行うという意味である。
【００５１】
オープニングとクロージングは、処理対象領域中の孤立点ノイズと空洞を除去することにより、処理対象領域をより滑らかにすることができる。
【００５２】
最後に、各抽出対象輪郭を用いて各医用画像サンプルから、対応するトレーニング対象領域をそれぞれ抽出する。具体的には、抽出対象輪郭を得た後に、該抽出対象輪郭をインデックスとして、医用画像サンプルに戻って認識対象領域（又はトレーニング対象領域）を取り出す。
【００５３】
任意選択で、上記図４に対応する実施例を基に、本願の実施例に係るモデルトレーニング方法の第４の好ましい実施例では、認識対象医用画像集合中の各認識対象医用画像に対応する認識対象領域を抽出するステップの後、さらに、
認識対象領域が第１の所定領域以上であれば、認識対象領域を縮小処理し、
認識対象領域が第２の所定領域以下であれば、認識対象領域を拡大処理するステップを含んでよい。
【００５４】
本実施例では、分割して認識対象領域を得た後に、また認識対象領域に対して補間処理を行う必要がある。画像の３次元画像における各方向の単位物理長さを等距離状態にして、測定とモデル計算を容易にすることを目的とする。
【００５５】
実際の場合に、異なる認識対象医用画像の認識対象領域の大きさが異なり、例えば、子供の肺部画像サイズが一般的に通常の大人の肺部画像サイズよりも小さいため、この場合に、例えば、１つの画素が１ミリメートルに等しいとか、縮尺が必要である。認識対象領域が第１の所定領域以上であれば、該認識対象領域のサイズが大きい可能性のあることを示し、この場合に比例により該認識対象領域を縮小処理して、認識対象領域中の各画素の長さをできるだけ１ミリメートルにする必要がある。逆に、認識対象領域が第２の所定領域以下であれば、認識対象領域のサイズが大きい可能性のあることを示し、この場合に比例により該処理対象領域を縮小処理して、認識対象領域中の各画素の長さをできるだけ１ミリメートルにする必要がある。
【００５６】
任意選択で、上記図４に対応する実施例を基に、本願の実施例に係るモデルトレーニング方法の第５の好ましい実施例では、認識対象医用画像集合中の各認識対象医用画像に対応する認識対象領域を抽出するステップの後、
各認識対象領域に対応する反射値の区間を取得するステップであって、反射値の区間の最大値は第１の反射値で、反射値の区間の最小値は第２の反射値である、ステップと、
反射値の区間に基づいて各認識対象領域を正規化処理して、正規化領域を得るステップとを含んでよく、
医用画像認識モデルで、各認識対象領域の認識結果を決定するステップは、
医用画像認識モデルで、各認識対象領域の正規化領域に対応する認識結果を決定するステップを含み、
反射値の区間に基づいて各認識対象領域を正規化処理して、正規化領域を得るステップは、
【数３】
2021518966.tif 000005
という式により正規化領域を得るステップであって、ｘｏｕｔは正規化領域を表し、ｘは認識対象領域の画素点の値を表し、ｘｍａｘは第１の反射値を表し、ｘｍｉｎは第２の反射値を表す、ステップを含む。
【００５７】
本実施例では、分割して認識対象領域を得た後に、またトレーニング対象領域を正規化処理する必要がある。全ての認識対象領域を次元的に統一状態にして、測定とモデル計算を容易にすることを目的とする。
【００５８】
具体的には、正規化処理は、画像の全ての画素を肺野条件が−６００Ｈｕ〜１０２４Ｈｕの区間に集中し、その後に画像全体を０．０〜１．０に線形にスケーリングすることができる。肺野条件のウインドウ幅は可視化ＣＴ値の範囲を表し、異なるウインドウ幅から異なるコンテンツ詳細が見られる。画像の方式で正規化領域を得ることができ、
【数４】
2021518966.tif 000006
ただし、ｘｏｕｔは正規化領域を表し、ｘは認識対象領域の画素点の値を表し、ｘｍａｘは第１の反射値を表し、ｘｍｉｎは第２の反射値を表す。
【００５９】
上記肺野条件が−６００Ｈｕ〜１０２４Ｈｕであることを例とすれば、ｘｍａｘが１０２４であり、ｘｍｉｎが−６００であり、ｘが１０００であり、得られるｘｏｕｔの正規化領域が０．９８５で表される。
【００６０】
本願に係るモデルトレーニング方法は、コンピュータ装置に適用され、該コンピュータ装置はサーバであってよく、以下、サーバの角度から該モデルトレーニング方法を説明し、図６を参照して、本願の実施例におけるモデルトレーニング方法の一実施例は、２０１〜２０３を含む。
【００６１】
２０１、トレーニング対象の医用画像サンプル集合を取得し、医用画像サンプル集合は、少なくとも１つの医用画像サンプルを含み、各医用画像サンプルに、対応するアノテーション情報が含まれ、アノテーション情報は、医用画像サンプルのタイプを示すためのものである。
【００６２】
本実施例では、まず、サーバによりトレーニング対象の医用画像サンプル集合を取得し、なお、ここのトレーニング対象の医用画像サンプル集合は、１つのみのトレーニング対象医用画像サンプルを含んでもよく、複数のトレーニング対象医用画像サンプルを含んでもよく、該トレーニング対象の医用画像サンプルはＣＴ画像サンプル、ＭＲＩ画像サンプル又はＵＳ画像サンプルであってよい。医用画像サンプルは、具体的には、肺部画像、胃部画像、脳部画像、肝臓画像又は心臓画像などであってよく、本願の実施例は肺部画像を例として説明するが、これが本願を限定するものと理解すべきではない。
【００６３】
２０２、医用画像サンプル集合中の各医用画像サンプルに対応する、医用画像サンプル中の一部であるトレーニング対象領域を抽出する。
【００６４】
本実施例では、サーバは、トレーニング対象の医用画像サンプル集合を取得した後、各医用画像サンプルに対して特徴抽出を行うことにより、医用画像サンプル中の、病状特徴を反映できる一部であるトレーニング対象領域を得る。
【００６５】
２０３、各医用画像サンプルに対応するトレーニング対象領域と、各医用画像サンプルに含まれる対応するアノテーション情報とに基づいて、トレーニングして医用画像認識モデルを取得する。
【００６６】
本実施例では、サーバは深層学習ネットワークを構築し、各医用画像サンプルに含まれる対応するアノテーション情報と各医用画像サンプルに対応するトレーニング対象領域とを用いて、医用画像認識モデルをトレーニングし保存する。なお、深層学習ネットワークは、畳み込みニューラルネットワーク（ｃｏｎｖｏｌｕｔｉｏｎａｌ  ｎｅｕｒａｌ  ｎｅｔｗｏｒｋｓ、ＣＮＮ）、深い畳み込みニューラルネットワーク（ｄｅｅｐ  ｃｏｎｖｏｌｕｔｉｏｎａｌ  ｎｅｕｒａｌ  ｎｅｔｗｏｒｋｓ、ＤＣＮＮ）、逆畳み込みニューラルネットワーク（ｄｅｃｏｎｖｏｌｕｔｉｏｎａｌ  ｎｅｔｗｏｒｋｓ、ＤＮ）、敵対的生成ネットワーク（ｇｅｎｅｒａｔｉｖｅ  ａｄｖｅｒｓａｒｉａｌ  ｎｅｔｗｏｒｋｓ、ＧＡＮ）、リカレントニューラルネットワーク（ｒｅｃｕｒｒｅｎｔ  ｎｅｕｒａｌ  ｎｅｔｗｏｒｋｓ、ＲＮＮ）、長期短期記憶ネットワーク（ｌｏｎｇ  ｓｈｏｒｔ  ｔｅｒｍ  ｍｅｍｏｒｙ、ＬＳＴＭ）、ニューラルチューリングマシン（ｎｅｕｒａｌ  ｔｕｒｉｎｇ  ｍａｃｈｉｎｅｓ、ＮＴＭ）及び深い残差ネットワーク（ｄｅｅｐ  ｒｅｓｉｄｕａｌ  ｎｅｔｗｏｒｋｓ、ＤＲＮ）などのニューラルネットワークのうちの少なくとも１種を含むが、これらに限定されない。
【００６７】
説明を容易にするために、図７を参照して、図７は、本願の実施例における医用画像認識モデルのトレーニングフローの概略図であり、具体的には、ステップＤ１において、まず、サーバは医療検査装置により肺部に関する生データセットを大量収集し、ステップＤ２において、ラベル情報とテンプレートマッチングにより生データセット中の各医用画像を判断することにより、トレーニング用の肺部画像を取得しステップＤ３において、トレーニング可能な肺部画像に対して肺部領域の分割と抽出を行い、ステップＤ４において、分割抽出後の肺部領域に対して画像補間処理と正規化処理を行い、ステップＤ５において、さらに、追加の肺部画像のアノテーション情報を取得することができ、ここのアノテーション情報は、通常、手動アノテーションで取得され、例えば、１番の肺部画像サンプルをアノテーションして得られるアノテーション情報が「正常」であり、２番の肺部画像サンプルをアノテーションして得られるアノテーション情報が「肺気腫」であり、ステップＤ６において、ステップＤ４で処理して得られた肺部領域とステップＤ５で取得されたアノテーション情報をトレーニングすることにより、医用画像認識モデルを取得し、最後に、ステップＤ７において、さらに該医用画像認識モデルを評価することにより、医用画像認識モデルを最適化してよい。
【００６８】
本願の実施例では、医用画像サンプルのタイプを示す対応するアノテーション情報をそれぞれ含む少なくとも１つの医用画像サンプルを含むトレーニング対象の医用画像サンプル集合を取得し、その後に、医用画像サンプル集合中の各医用画像サンプルに対応する、医用画像サンプル中の一部であるトレーニング対象領域を抽出し、最後に、各医用画像サンプルに対応するトレーニング対象領域と各医用画像サンプルに含まれる対応するアノテーション情報に基づいて、トレーニングして医用画像認識モデルを取得する。上記方式で、トレーニングして医用画像の認識モデルを取得し、該モデルで手動アノテーションを代替することができ、手動アノテーションのコストと時間コストを大幅に節約することができる。また、モデルは、実際のニーズに応じてトレーニングし、出力した結果を最適化してもよく、手動による結果出力に比べてより高いフォールトトレランスを有する。
【００６９】
任意選択で、上記図６に対応する実施例を基に、本願の実施例に係るモデルトレーニング方法の第１の好ましい実施例では、トレーニング対象の医用画像サンプル集合を取得するステップの前に、
オリジナル医用画像集合を取得するステップであって、オリジナル医用画像集合は、少なくとも１つのオリジナル医用画像を含む、ステップと、
オリジナル医用画像集合中の各オリジナル医用画像のラベル情報を取得するステップであって、ラベル情報は、オリジナル医用画像に関連する情報を含む、ステップと、
オリジナル医用画像集合からトレーニング対象の医用画像サンプル集合を取得するまで、オリジナル医用画像のラベル情報がサンプル抽出条件を満足すれば、オリジナル医用画像を医用画像サンプルとして決定するステップとを更に含んでよい。
【００７０】
本実施例では、医用画像の前処理方法を説明し、医用画像認識のシーンでも、医用画像トレーニングのシーンでも、まず、認識のシーン又はトレーニングのシーンを満足しない医用画像を削除する必要がある。具体的には、まず、サーバは、少なくとも１つのオリジナル医用画像を含むオリジナル医用画像集合を取得し、次に各オリジナル医用画像がトレーニングのシーン又は認識のシーンを満足するか否かをそれぞれ判断する必要があり、最後に、これらのシーンを満足しないオリジナル医用画像を削除する。
【００７１】
判断過程において、オリジナル医用画像に対して情報照合を行って、つまり、各オリジナル医用画像に対応するラベル情報（Ｍｅｔａ情報とも呼ばれる）がサンプル抽出条件を満足するか否かを判断する。ラベル情報は、該オリジナル医用画像に対応する患者識別子、病院識別子、検査装置識別子、検査部位情報及び検査医師情報を含むが、これらに限定されない。ラベル情報の属性には、関連する名称と値のペアが定義されている。
【００７２】
説明を容易にするために、表１を参照して、表１はオリジナル医用画像中のラベル情報の一例である。
【００７３】
【表１】
2021518966.tif 000007
【００７４】
表１から分かるように、認識すべきオリジナル医用画像が肺部画像であれば、ラベル情報中の検査部位情報に基づいて、オリジナル医用画像集合からオリジナル医用画像３及びオリジナル医用画像５を削除することができる。
【００７５】
当然のことながら、実際の適用において、オリジナル医用画像集合に非ＣＴ画像が混入していれば、これらのオリジナル医用画像を削除する必要があり、或いは、オリジナル医用画像自体が記憶などの問題により損傷していれば、同様にこれらのオリジナル医用画像を削除する必要がある。
【００７６】
次に、本願の実施例では、オリジナル医用画像集合を取得するにあたって、オリジナル医用画像集合中の各オリジナル医用画像のラベル情報を分析する必要があり、ラベル情報がサンプル抽出条件を満足するオリジナル医用画像のみ、医用画像サンプルとすることができる。上記方式で、ラベル情報を用いて無関係なオリジナル医用画像を大量除去できるため、トレーニングの時間コストを節約して、データ全体をより純粋にして、モデルトレーニングの品質と効果を向上させる。
【００７７】
任意選択で、上記図６に対応する実施例を基に、本願の実施例に係るモデルトレーニング方法の第２の好ましい実施例では、トレーニング対象の医用画像サンプル集合を取得するステップの前に、
オリジナル医用画像集合を取得するステップであって、オリジナル医用画像集合は、少なくとも１つのオリジナル医用画像を含む、ステップと、
オリジナル医用画像集合中の各オリジナル医用画像のラベル情報を取得するステップであって、ラベル情報は、オリジナル医用画像に関連する情報を含む、ステップと、
オリジナル医用画像のラベル情報がサンプル抽出条件を満足すれば、オリジナル医用画像を目標医用画像とマッチングするステップであって、目標医用画像は、予め設定された画像テンプレートである、ステップと、
オリジナル医用画像集合からトレーニング対象の医用画像サンプル集合を取得するまで、オリジナル医用画像と目標医用画像とのマッチングに成功すれば、オリジナル医用画像を医用画像サンプルとして決定するステップとを更に含んでよい。
【００７８】
本実施例では、別の医用画像の前処理方法を説明するが、医用画像認識のシーンでも、医用画像トレーニングのシーンでも、まず、認識のシーン又はトレーニングのシーンを満足しない医用画像を削除する必要がある。具体的には、まず、サーバは、少なくとも１つのオリジナル医用画像を含むオリジナル医用画像集合を取得し、次に各オリジナル医用画像がトレーニングのシーン又は認識のシーンを満足するか否かをそれぞれ判断する必要があり、最後に、これらのシーンを満足しないオリジナル医用画像を削除する。
【００７９】
説明を容易にするために、図８を参照して、図８は、本願の実施例における医用画像サンプルの決定フローの概略図であり、図８に示すように、判断過程において、オリジナル医用画像に対して情報照合を行って、つまり、各オリジナル医用画像に対応するラベル情報がサンプル抽出条件を満足するか否かを判断する（即ち、Ｍｅｔａ情報照合を行う）。ラベル情報は、該オリジナル医用画像に対応する患者識別子、病院識別子、検査装置識別子、検査部位情報及び検査医師情報を含むが、これらに限定されない。ラベル情報の属性には、関連する名称と値のペアが定義されている。同時に、オリジナル医用画像をテンプレートとマッチングする（即ち、肺部テンプレートマッチングを行う）必要があり、まず、肺部画像を読み取り、テンプレート（即ち、目標医用画像）を照合して肺部マッチングを行う。多くの正常な肺部は、いずれも左右２つの肺野（肺野は、即ち気体で満たされた２つの肺が胸部写真において現われる一致して少し透明になっている領域である）からなり、オリジナル医用画像集合からトレーニング対象の医用画像サンプル集合を取得するまで、目標ＣＴ画像の全体形状と肺部テンプレートとのマッチングに成功すれば、医用画像サンプルとして決定される。この２つの検証により、入力データ全体の後続の処理での有効性を保証し、無関係なデータが全体システムに混入することを回避し、全体的な異常検査及び分類に極めて重要である。有効性検証を行った後、さらにデータ処理を行うことができる。
【００８０】
当然のことながら、実際の適用において、オリジナル医用画像集合に非ＣＴ画像が混入していれば、これらのオリジナル医用画像を削除する必要があり、或いは、オリジナル医用画像自体が記憶などの問題により損傷していれば、同様にこれらのオリジナル医用画像を削除する必要がある。検証過程において、ピクチャ分類モデルをトレーニングすることにより、肺部領域と他の領域の分けを行うか、ピクチャ画素統計分布の方式でオリジナル医用画像が肺部領域であるか否かを決定してもよい。
【００８１】
本願の実施例では、まず、サーバは、オリジナル医用画像集合を取得し、その後に、オリジナル医用画像集合中の各オリジナル医用画像のラベル情報を取得し、オリジナル医用画像のラベル情報がサンプル抽出条件を満足すれば、オリジナル医用画像と目標医用画像を継続してマッチングし、オリジナル医用画像集合からトレーニング対象の医用画像サンプル集合を取得するまで、オリジナル医用画像と目標医用画像とのマッチングに成功した場合のみ、オリジナル医用画像が医用画像サンプルであると決定する。上記方式で、ラベル情報及びテンプレートを同時に用いてオリジナル医用画像をマッチングし、二重検証により、入力データ全体の後続の処理での有効性を保証し、無関係なデータが全体システムに混入することを回避し、全体的な異常検査及び分類に極めて重要であるため、さらにトレーニングの時間コストを節約することで、モデルトレーニングの品質と効果を向上させる。
【００８２】
任意選択で、上記図６に対応する実施例を基に、本願の実施例に係るモデルトレーニング方法の第３の好ましい実施例では、医用画像サンプル集合中の各医用画像サンプルに対応するトレーニング対象領域を抽出するステップは、
【００８３】
所定の反射値に基づいて医用画像サンプル集合中の各医用画像サンプルを二値化処理し、各医用画像サンプルに対応する二値医用画像を取得するステップと、
目標医用画像を用いて各二値医用画像をマッチングして、各二値医用画像に対応する処理対象領域を抽出するステップであって、目標医用画像は、予め設定された画像テンプレートである、ステップと、
各処理対象領域に対して画像平滑化処理を行って、各処理対象領域に対応する抽出対象輪郭を生成するステップであって、画像平滑化処理は、各処理対象領域に対するオープニング処理又はクロージング処理のうちの少なくとも一方を含む、ステップと、
各抽出対象輪郭を用いて各医用画像サンプルから、対応するトレーニング対象領域をそれぞれ抽出するステップとを含んでよい。
【００８４】
本実施例では、オリジナル医用画像に有効性検証を行われば、医用画像サンプルを取得することができ、少なくとも１つの医用画像サンプルがトレーニング対象の医用画像サンプル集合を構成することができる。次に、さらに、各医用画像サンプルから、トレーニング対象領域（例えば、肺部領域）を抽出する必要がある。肺野以外の領域により発生可能なノイズを効果的に除去し、後続のモデルの判断をより正確にし、肺野以外の計算量を低減するためである。
【００８５】
説明を容易にするために、図９を参照して、図９は、本願の実施例におけるトレーニング対象領域の抽出フローの概略図であり、図９に示すように、具体的には、医用画像サンプルからトレーニング対象領域（又は認識対象領域）を抽出することを例として、まず、医用画像サンプルに対して二値化分離を行い、つまり、医用画像サンプルに適切な閾値方法で二値化分離を行う。異なる器官組織は、異なる反射値（例えば、ＣＴ値）を有し、ＣＴ値に基づいて医用画像サンプルから肺部の概形を見つけ出すことができる。肺部に対する所定の反射値が３０ハンスフィールド単位（Ｈｕ）であれば、Ｈｕが３０の二値医用画像を抽出する。
【００８６】
ＣＴ値は、ＣＴ画像画素内の組織構造線減衰係数相対値を反映する数値であり、ある物質のＣＴ値は、該物質の減衰係数と水の減衰係数の差を水の減衰係数で除算してスケール因子を乗算して得る値に等しい。物質のＣＴ値は、物質の密度を反映し、即ち、物質のＣＴ値が高いほど物質の密度が高くなり、即ち、
ＣＴ値＝α×（μｍ−μｗ）／μｗ
μｍが物質の減衰係数であり、μｗが水の減衰係数であり、αがスケール因子であり、その値が１０００であるときに、ＣＴ値の単位はＨｕである。人体内の異なる組織は、異なる減衰係数を有するため、それらのＣＴ値もそれぞれ異なる。ＣＴ値の高低に応じて、それぞれ骨組織、軟組織、脂肪、水、気体であり、水のＣＴ値は約０Ｈｕである。
【００８７】
なお、実際の適用において、他の閾値方法で二値化を行ってもよく、例えば、画像結合度を計算し、また２つの最大の連通量を計算することで肺部領域を決定してもよい。領域拡張などの方法で肺部凸包領域を計算して肺部領域を決定してもよく、ここで限定しない。
【００８８】
二値化分離後の二値医用画像から肺葉領域を抽出し、抽出方式は、肺部ＣＴテンプレート（即ち、上記図６に対応する第２の実施例に係る目標医用画像）により対応する肺部領域を抽出することである。即ち、予め設定された画像テンプレートである目標医用画像を用いて各二値医用画像をマッチングして、各二値医用画像に対応する処理対象領域を抽出する。
【００８９】
肺部領域に常に肺紋理があり、肺紋理は肺門から外部に放射状に分布する樹枝状影である樹枝状影であり、主に肺動脈と肺静脈で構成された映像であり、気管支とリンパ管も肺紋理の構成に参加する。肺の上部鈍い先端は肺尖と呼ばれ、上向きに胸郭の上の口から首付け根部に突入し、底部が膈の上面にあり、肋と肋間隙に対向している面は肋骨面と呼ばれ、縦隔に面する面は内側面と呼ばれ、該面の中央の気管支、血管、リンパ管及び神経が出入りする場所は肺門と呼ばれ、これらの肺門に出入りする構造は、結合組織に包まれて肺根と呼ばれる。左肺は斜裂で上葉と下葉の２つの肺葉に分かれ、右肺は斜裂に加えて水平裂で上葉、中葉、下葉の３つの肺葉に分かれる。
【００９０】
続いて、肺葉領域を抽出した処理対象領域を平滑化処理して、処理対象領域に対応する抽出対象輪郭を得て、具体的には、各処理対象領域にオープニング処理又はクロージング処理を行うこと、又はオープニング処理とクロージング処理を同時に行うことを含む。オープニングは、画像の輪郭を滑らかにし、狭い結合部分を分離し、細い突起部分を除去することができる。構造要素Ｂを用いて集合Ａに対してオープニングを行うことは、
【数５】
2021518966.tif 000008
と定義され、
まず、Ｂを用いてＡに対して収縮を行い、その後にＢを用いて結果に対して膨張を行うという意味である。
【００９１】
クロージングは、同様に画像の輪郭を滑らかにするが、オープニングとは逆に、狭い途切れと細長い凹みを埋め、小さい穴を除去すると共に輪郭線中の隙間を埋めることができる。構造要素Ｂを用いて集合Ａにクロージングを行うことは、
【数６】
2021518966.tif 000009
と定義され、
まず、Ｂを用いてＡに対して膨張を行い、その後にＢを用いて結果に対して収縮を行うという意味である。
【００９２】
オープニングとクロージングは、処理対象領域中の孤立点ノイズと空洞を除去することにより、処理対象領域をより滑らかにすることができる。
【００９３】
なお、実際の適用において、オープニングとクロージングを用いて処理対象領域を平滑化処理する以外に、異なるフィルタ方法を用いてもよい。例えば、
（１）平均値フィルタ
平均値フィルタは、典型的な線形フィルタアルゴリズムであり、画像において目標画素にその周囲の隣接画素（目標画素を中心とする周囲の８つの画素がフィルタテンプレートを構成し、即ち目標画素自体を除去する）を含むテンプレートを与え、テンプレート中の全ての画素の平均値で元の画素値を代替することである。それは、ノイズ画像、特に大きい孤立点を有する画像に対して非常に敏感であり、非常に少ない点に大きな差があっても平均値の明らかな変動を引き起こす。
【００９４】
（２）メディアンフィルタ
メディアンフィルタは、非線形平滑化技術であり、各画素点の階調値を、該点のある近傍ウィンドウ内の全ての画素点の階調値の中央値に設定し、つまり、中心画素の値を全ての画素値の中間値（平均値ではない）に換えることである。メディアンフィルタでは、中間値を選択することにより画像孤立点ノイズの影響を回避し、インパルス性ノイズに良好な除去作用を有し、特にノイズを除去すると共に、信号のエッジを保存し、ぼやけないようにすることができる。これらの優れた特性は、線形フィルタ方法が有しないものである。また、メディアンフィルタのアルゴリズムは簡単であり、ハードウェアで実現しやすい。したがって、メディアンフィルタ方法が提案された直後、デジタル信号処理の分野において重要に応用されている。
【００９５】
（３）ガウスフィルタ
ガウスフィルタは、線形平滑化フィルタであり、ガウスノイズの除去に適用され、画像処理のノイズ低減プロセスに広く適用される。平易に言えば、ガウスフィルタは、画像全体に対して加重平均を行うプロセスであり、各画素点の値はそれら自体と近傍内の他の画素値を加重平均して得られる。ガウスフィルタの具体的な操作は、画像中の各画素を１つのテンプレート（又は畳み込み、マスクと呼ばれる）を用いて走査し、テンプレートによって決定された近傍内画素の加重平均階調値でテンプレートの中心画素点の値を替わることである。ガウスフィルタを行う一般的な原因は、実画像の空間内の画素は緩やかに変化するため、隣接点の画素変化が目立ちにくいが、ランダムな２つの点が大きな画素差を形成する可能性があるからである。この点に基づいて、ガウスフィルタは信号を保留したままノイズを低減する。残念なことに、この方法は、エッジに近い場所では無効となるため、ガウスフィルタはエッジをぼかすことになる。しかしながら、ガウス平滑化フィルタは、正規分布に従うノイズの抑制には、依然として非常に有効である。
【００９６】
（４）バイラテラルフィルタ
バイラテラルフィルタ（Ｂｉｌａｔｅｒａｌ  ｆｉｌｔｅｒ）は、非線形フィルタ方法であり、画像の空間的近接度と画素値類似度を組み合わせる折衷した処理であり、空間領域情報と階調類似性を同時に考慮して、エッジを保存しノイズを除去するという目的を達成する。簡単、非反復、局所的な特徴を有する。バイラテラルフィルタは、エッジを平滑化しない方法を提供できるが、より多くの処理時間が必要とすることが犠牲になる。バイラテラルフィルタは、ガウスフィルタと同様に、各画素及びそれらの領域ごとに加重平均値を構成し、加重計算は２つの部分を含み、第１の部分の加重方式がガウスフィルタ平滑化の方式と同じであり、第２の部分もガウス加重に属するが、中心画素点と他の画素点の空間距離に基づく加重ではなく、他の画素と中心画素の輝度差分値に基づく加重である。バイラテラルフィルタをガウス平滑化と見なしてよく、類似する画素に高い重みを付与し、類似しない画素に小さい重みを付与して、画像分類に用いてもよい。
【００９７】
バイラテラルフィルタは、エッジ保存（ｅｄｇｅ  ｐｒｅｓｅｒｖｉｎｇ）を行うことができるという利点を有し、過去に用いられているウィーナフィルタ又はガウスフィルタによるノイズ低減は、一般にエッジを明らかにぼやけて、高周波のディテールに対する保護効果は明らかではない。その名の示すとおり、バイラテラルフィルタは、ガウスフィルタよりもう１つのガウス分散を有し、空間分布に基づくガウスフィルタ関数であるため、エッジの近傍で、離れている画素はエッジ上の画素値にあまり影響を与えず、エッジ近傍の画素値の保存を保証する。しかしながら、多すぎる高周波情報を保存しているため、バイラテラルフィルタはカラー画像における高周波ノイズを完全に除去できず、低周波情報のみに良好なフィルタを行う。
【００９８】
各抽出対象輪郭を用いて各医用画像サンプルから、対応するトレーニング対象領域をそれぞれ抽出する。具体的には、抽出対象輪郭を得た後に、該抽出対象輪郭をインデックスとして、医用画像サンプルに戻ってトレーニング対象領域（又は認識対象領域）を取り出す。
【００９９】
本願の実施例では、医用画像サンプル集合中の各医用画像サンプルに対応するトレーニング対象領域を抽出するステップは、具体的には、まず、所定の反射値に基づいて医用画像サンプル集合中の各医用画像サンプルを二値化処理し、各医用画像サンプルに対応する二値医用画像を取得するステップと、その後に目標医用画像を用いて各二値医用画像をマッチングして、各二値医用画像に対応する処理対象領域を抽出するステップと、各処理対象領域に対して画像平滑化処理を行って、各処理対象領域に対応する抽出対象輪郭を生成するステップと、最後に各抽出対象輪郭を用いて各医用画像サンプルから、対応するトレーニング対象領域をそれぞれ抽出するステップとを含んでよい。上記方式で、医用画像サンプルからトレーニング対象領域をより正確に抽出することができるため、大量の計算時間コストを節約することにより、医用画像認識モデルは具体的な領域の検査に集中して、誤った情報検出を回避し、モデル正確率を向上させる。
【０１００】
任意選択で、上記図６に対応する実施例を基に、本願の実施例に係るモデルトレーニング方法の第４の好ましい実施例では、医用画像サンプル集合中の各医用画像サンプルに対応するトレーニング対象領域を抽出するステップの後、さらに、
トレーニング対象領域が第１の所定領域以上であれば、トレーニング対象領域を縮小処理し、
トレーニング対象領域が第２の所定領域以下であれば、トレーニング対象領域を拡大処理するステップを含んでよい。
【０１０１】
本実施例では、分割してトレーニング対象領域を得た後に、モデルで高いトレーニング効果を取得させるために、さらにトレーニング対象領域に対して補間処理を行う必要がある。画像の３次元画像における各方向の単位物理長さを等距離状態にして、測定とモデル計算を容易にすることを目的とする。
【０１０２】
実際の場合に、異なる医用画像サンプルのトレーニング対象領域の大きさが異なり、例えば、子供の肺部画像サイズが一般的に通常の大人の肺部画像サイズよりも小さいため、この場合に、例えば、１つの画素が１ミリメートルに等しいとか、縮尺が必要である。トレーニング対象領域が第１の所定領域以上であれば、該トレーニング対象領域のサイズが大きい可能性のあることを示し、この場合に比例により該処理対象領域を縮小処理して、トレーニング対象領域中の各画素の長さをできるだけ１ミリメートルにする必要がある。逆に、トレーニング対象領域が第２の所定領域以下であれば、該トレーニング対象領域のサイズが大きい可能性のあることを示し、この場合に比例により該処理対象領域を縮小処理して、トレーニング対象領域中の各画素の長さをできるだけ１ミリメートルにする必要がある。
【０１０３】
上記画像処理を実現する方式は、縦軸（ｚ軸）方向に補間を行うことであり、本願は一般的な線形補間を用いて、画像のｘｙｚの３つの方向での単位物理距離を同じにする。
【０１０４】
補間は画像内補間と画像間補間に分かられ、主に画像の拡大及び回転などの動作に適用され、低解像度画像に基づいて別の高解像度画像を再生することは、画像内補間である。画像間補間は画像の超解像再構成とも呼ばれ、画像シーケンス間に幾つかの新しい画像を再生することであり、医用画像シーケンスとビデオシーケンスの間の補間に適用可能である。画像内補間は、実際にシングルフレーム画像の画像再構成プロセスであり、これは、生画像にないデータを生成することを意味する。
【０１０５】
なお、本願で用いる補間方法は、近傍補間、スプライン補間、バイリニア補間、二乗補間、バイキュービック補間及び他の高次方法であってよく、ここで限定しない。
【０１０６】
そのうち、最近傍補間は、即ち各元画素を拡張後の対応する複数の画素にそのままコピーしてマッピングすることである。このような方法は、画像を拡大すると共に全ての元画像の全ての情報を保留する。従来の画像補間アルゴリズムでは、最近傍画素補間は簡単であり、実現しやすい。
【０１０７】
バイリニア補間法は平滑化機能を有し、最近傍画素補間の欠点を効果的に克服することができる。
【０１０８】
拡大倍率が高い場合に、高次補間、例えば、バイキュービック補間と三次スプライン補間などは、低次補間よりも効果が高い。
【０１０９】
本願の実施例では、サーバは、さらに、医用画像サンプル集合中の各医用画像サンプルに対応するトレーニング対象領域を抽出した後、トレーニング対象領域に対して対応する処理を行ってよく、トレーニング対象領域が第１の所定領域以上であれば、トレーニング対象領域を縮小処理し、逆に、トレーニング対象領域が第２の所定領域以下であれば、トレーニング対象領域を拡大処理する。上記方式で、トレーニング対象領域に対して画像補間処理を行って、低解像度画像から高解像度画像を生成して、画像中の失われた情報を回復して、トレーニング対象領域の３次元画像における各方向の単位物理長さを等距離状態にして、モデルの測定と計算を容易にすることができる。
【０１１０】
任意選択で、上記図６又は図６に対応する第４の実施例を基に、本願の実施例に係るモデルトレーニング方法の第５の好ましい実施例では、医用画像サンプル集合中の各医用画像サンプルに対応するトレーニング対象領域を抽出するステップの後、
各トレーニング対象領域に対応する反射値の区間を取得するステップであって、反射値の区間の最大値は第１の反射値で、反射値の区間の最小値は第２の反射値である、ステップと、
反射値の区間に基づいて各トレーニング対象領域を正規化処理して、正規化領域を得るステップとを更に含んでよく、
各医用画像サンプルに対応するトレーニング対象領域と各医用画像サンプルに含まれる対応するアノテーション情報に基づいて、トレーニングして医用画像認識モデルを取得するステップは、
各医用画像サンプルに対応する正規化領域と各医用画像サンプルに含まれる対応するアノテーション情報に基づいて、トレーニングして医用画像認識モデルを取得するステップを含んでよく、
反射値の区間に基づいて各トレーニング対象領域を正規化処理して、正規化領域を得るステップは、
【数７】
2021518966.tif 000010
という式により正規化領域を得るステップであって、ｘｏｕｔは正規化領域を表し、ｘはトレーニング対象領域の画素点の値を表し、ｘｍａｘは第１の反射値を表し、ｘｍｉｎは第２の反射値を表す、ステップを含んでよい。
【０１１１】
本実施例では、分割してトレーニング対象領域を得た後に、モデルで高いトレーニング効果を取得させるために、さらにトレーニング対象領域を正規化処理する必要がある。全てのトレーニング対象領域を次元的に統一状態にして、測定とモデル計算を容易にすることを目的とする。
【０１１２】
説明を容易にするために、図１０を参照して、図１０は、本願の実施例におけるトレーニング対象領域の調整フローの概略図であり、図１０に示すように、トレーニング対象領域を得た後に、反射値の区間に基づいてトレーニング対象領域を正規化処理することにより、正規化領域を得る必要がある。後続のモデルトレーニングプロセスにおいて、正規化処理後の正規化領域と各医用画像サンプルに含まれる対応するアノテーション情報を用いてトレーニングすることにより、医用画像認識モデルを取得する。
【０１１３】
具体的には、正規化処理は、画像の全ての画素を肺野条件が−６００Ｈｕ〜１０２４Ｈｕの区間に集中し、その後に画像全体を０．０〜１．０に線形にスケーリングすることができる。肺野条件のウインドウ幅は可視化ＣＴ値の範囲を表し、異なるウインドウ幅から異なるコンテンツ詳細が見られる。画像の方式で正規化領域を得ることができ、
【数８】
2021518966.tif 000011
ただし、ｘｏｕｔは正規化領域を表し、ｘはトレーニング対象領域の画素点の値を表し、ｘｍａｘは第１の反射値を表し、ｘｍｉｎは第２の反射値を表す。
【０１１４】
上記肺野条件が−６００Ｈｕ〜１０２４Ｈｕであることを例とすれば、ｘｍａｘが１０２４であり、ｘｍｉｎが−６００であり、ｘが１０００であり、得られるｘｏｕｔの正規化領域が０．９８５で表される。
【０１１５】
理解できるように、画像正規化は、画像に対して一連の標準的な処理変換を行うことにより、一定した標準形式に変換するプロセスであり、該標準画像は正規化画像と呼ばれる。オリジナル画像に対して幾つかの処理又は攻撃を行って様々なコピー画像を得ることができ、これらのコピー画像に対してパラメータが同じ画像正規化処理を行って同じ形式の標準画像を得ることができる。
【０１１６】
画像正規化は、画像の不変モーメントを用いて、他の変換関数による画像変換への影響を解消する１セットのパラメータを見つけ、処理対象オリジナル画像を対応する唯一の標準形式（該標準形式画像は平行移動、回転及びスケーリングなどのアフィン変換において不変特性を有する）に変換する。
【０１１７】
モーメントに基づく画像正規化技術の基本的な動作原理は、まず画像中の、アフィン変換において不変特性を有するモーメントを用いて変換関数のパラメータを決定し、その後にこのパラメータによって決定された変換関数を用いてオリジナル画像を標準形式画像（該画像がアフィン変換とは関係がない）に変換することである。一般的に、モーメントに基づく画像正規化プロセスは、座標センタリング、ｘ−ｓｈｅａｒｉｎｇ正規化、スケーリング正規化及び回転正規化の４つのステップを含む。画像正規化により画像は幾何学変換による攻撃に抵抗することができ、画像中の不変量を見つけることにより、これらの画像が本来同じであるか又は同一のシリーズに属することを知る。
【０１１８】
正規化は簡単な計算方式であり、次元を持つ表現式を変換により次元をもたない表現式にして、スカラーとなる。その目的は以下のとおりである：１、異なる物理的な意味と次元を持つ入力変量を平等に使用できないことを回避し、２、ニューラルネットワークには、伝達関数としてｓｉｇｍｏｉｄ関数がよく用いられ、正規化は正味の入力絶対値の過大によるニューロン出力飽和の現象を防止することができ、３、出力データのうちの数値が小さいデータが取り込まれないことを保証する。
【０１１９】
ニューラルネットワークにおける正規化の原因は、具体的には、トレーニングネットワークの収束性を加速することであり、正規化処理を行わなくてもよく、正規化の具体的な作用は、サンプルの統計的分布を帰納することである。正規化は０〜１の間では統計的な確率分布である。モデル化のためにも、計算のためにも、まず、基本的な測定単位を同一にする必要があり、ニューラルネットワークは、サンプルのイベントにおける統計的な分布確率でトレーニング（確率計算）と予測を行い、正規化は、０〜１の間に同一した統計的な確率分布である。全てのサンプルの入力信号がいずれも正の値であると、第１の隠れ層ニューロンに接続された重みは同時に増減又は減少することしかできないため、学習速度が遅くなる。このような状況を回避し、ネットワーク学習速度を加速するために、入力信号に正規化を行うことにより、全てのサンプルの入力信号の平均値が０に近いか又は平均二乗偏差に比べて小さいようにする。正規化はｓｉｇｍｏｉｄ関数の値が０〜１であるからであり、ネットワークの最後のノードの出力も同様であるため、常にサンプルの出力に正規化処理を行う必要がある。
【０１２０】
線形正規化は、オリジナル画像の長さと幅を拡大し縮小させ、画像の線形性を保留することができる。場合によっては特徴ブロック画像が所望の形式ではない可能性があり、この場合にカット後の画像中心の位置を適切に補正して、同じ位置に統一する必要があるため、非線形正規化技術を採用する。
【０１２１】
画像正規化は、以下の利点を有する：１、標準モードに変換して、アフィン変換の影響を防止する。２、幾何学変換の影響を低減する。３、勾配降下により最適解を求める速度を加速する。
【０１２２】
本願の実施例では、医用画像サンプル集合中の各医用画像サンプルに対応するトレーニング対象領域を抽出した後、モデルで高いトレーニング効果を取得させるために、サーバは、さらに、各トレーニング対象領域に対応する反射値の区間を取得し、反射値の区間に基づいて各トレーニング対象領域を正規化処理して、正規化領域を得てよい。上記方式で、トレーニング対象領域を正規化処理して、トレーニング対象領域全体を０〜１に線形スケーリングし、次元を持つ表現式を次元をもたない表現式にし、全てのトレーニング対象領域に対応する画像を次元的に統一状態にすることにより、データ処理を容易にし、データの演算をより迅速かつ効率的にする。
【０１２３】
任意選択で、上記図６に対応する実施例を基に、本願の実施例に係るモデルトレーニング方法の第６の好ましい実施例では、各医用画像サンプルに対応するトレーニング対象領域と、各医用画像サンプルに含まれる対応するアノテーション情報に基づいて、トレーニングして医用画像認識モデルを取得するステップは、
確率的勾配降下アルゴリズム（ｓｔｏｃｈａｓｔｉｃ  ｇｒａｄｉｅｎｔ  ｄｅｓｃｅｎｔ、ＳＧＤ）で、残差ネットワークｒｅｓｎｅｔ−１８構造により、各医用画像サンプルに対応するトレーニング対象領域と、各医用画像サンプルに含まれる対応するアノテーション情報とをトレーニングして、トレーニング結果を取得するステップと、
トレーニング結果に基づいて、複数の検証セット損失値を取得するステップと、
複数の検証セット損失値に基づいて、医用画像認識モデルを決定するステップとを含んでよい。
【０１２４】
本実施例では、処理済みの医用画像サンプルを取得した後、各医用画像サンプルに含まれる対応するアノテーション情報を組み合わせて異常検査及び分類ネットワークトレーニングを行ってよい。医用画像認識モデルは、異なる画像のアノテーション情報に基づいて、各種類の画像を、気管支拡張、肺気腫、無気肺、滲出、硬化、異形成症、線維症、石灰化、腫物、結節、空洞、空腔、胸膜滲出液、水気胸及び気胸などの症状に応じて分ける。該医用画像認識モデルは深層学習における残差ネットワークｒｅｓｎｅｔ−１８構造を用いて、ＳＧＤによりモデル最適化を行う。最後にモデル評価を行って指標に適合するモデル結果を選択し保存する。
【０１２５】
説明を容易にするために、図１１を参照して、図１１は、本願の実施例における医用画像認識モデルの構築フローの概略図であり、図１１に示すように、まず深層学習ニューラルネットワーク−−残差ネットワークｒｅｓｎｅｔ−１８構造を構築する。残差関数の最適化がより容易であり、ネットワーク層数を顕著に増加させ、残差学習はネットワーク深度の増加による劣化の問題を解決し、残差ネットワークは最適化がより容易であり、収束がより速い。本願は、ｒｅｓｎｅｔ−１８構造を用いて深層学習を行うと、より高いコストパフォーマンスを有する。
【０１２６】
続いて、関数ＳＧＤをトレーニングし最適化し、学習率と反復回数を設定する必要があり、学習率が高いほど収束が速いことを示し、トレーニング結果に基づいて各組の検証セットに対応する検証セット損失値を得ることができ、そのうちの最小値を最適解として選択することにより、対応するモデルを導出する。
【０１２７】
簡単な二次元関数を例とすると、二次元関数の極値を求めようとすれば、一般に、まず該二次元関数の導函数を求め、その後にそれを０とし、この時の独立変数の値を求め、該独立変数を関数式に代入すれば、該関数の極値を求めることができる。確率的勾配降下アルゴリズムは、深層学習における多変数目標関数の最適値の問題を解決するためのものであり、該アルゴリズムのバリエーションアルゴリズムが多くある。深層学習において、実際の問題に対して、まずモデルを構築し、その後に目標関数を決定する。通常、目標関数は、ネットワーク出力値と目標との誤差であり、誤差の形式は様々であり、例えば、一般的なのは、二乗差と交差エントロピーなどである。モデルトレーニングは目標関数を極小値にすることを目的とする。ディープニューラルネットワークの場合、そのパラメータの数が膨大であるため、目標関数は、通常、多くのパラメータを含む非線形関数である。この非線形関数に対して、我々は確率的勾配降下アルゴリズムを用いてパラメータを更新する。具体的なステップは、（１）〜（５）のとおりである：（１）ネットワークパラメータを初期化し、一般的には、重みを平均値が０、分散が０．０１のガウス分布の乱数値に初期化し、オフセットを０に一括して初期化する；（２）パラメータをネットワーク計算フィードフォワード出力値に代入することにより、既存のターゲットタブに基づいて目標関数値を求める；（３）目標関数値及び各パラメータと目標関数とからなる木構造に基づいて、逆伝播アルゴリズムを用いて各パラメータの勾配を算出する；（４）学習率を設定し（反復のステップの増加に伴い、学習率が通常、徐々に小さくなるようにすることで、トレーニング中に誤差ショックが生じる状況を効果的に回避することができる）、パラメータを更新し、最も一般的な更新方式は新しいパラメータ＝古いパラメータ−学習率×勾配である；（５）ネットワークが収束するまで、ステップ（２）〜（４）を繰り返することにより、モデルを決定する。
【０１２８】
なお、実際の適用において、ｒｅｓｎｅｔ−１８構造を用いてモデルトレーニングを行う以外に、畳み込みニューラルネットワークに基づく様々なモデル構造を用いて分類してよく、実質的に、いずれもニューラルネットワークによる画像の特徴抽出、特徴融合及び特徴判別に属する。
【０１２９】
また、特徴抽出には、スケール不変特徴変換（ｓｃａｌｅ−ｉｎｖａｒｉａｎｔ  ｆｅａｔｕｒｅ  ｔｒａｎｓｆｏｒｍ、ＳＩＦＴ）又は勾配方向ヒストグラム（ｈｉｓｔｏｇｒａｍ  ｏｆ  ｏｒｉｅｎｔｅｄ  ｇｒａｄｉｅｎｔ、ＨＯＧ）などの画像処理アルゴリズムが用いられてよく、サポートベクターマシン（ｓｕｐｐｏｒｔ  ｖｅｃｔｏｒ  ｍａｃｈｉｎｅ、ＳＶＭ）、多層パーセプトロン（ｍｕｌｔｉ−ｌａｙｅｒ  ｐｅｒｃｅｐｔｒｏｎ、ＭＬＰ）又は反復アルゴリズム（ａｄａｂｏｏｓｔ）などの分類器を用いて分類処理を行い、ここで限定しない。
【０１３０】
次に、本願の実施例では、トレーニングして医用画像認識モデルを取得する方式を説明し、具体的には、ＳＧＤ方式でｒｅｓｎｅｔ−１８構造により、各医用画像サンプルに対応するトレーニング対象領域と各医用画像サンプルに含まれる対応するアノテーション情報をトレーニングしてトレーニング結果を取得し、その後にトレーニング結果に基づいて複数の検証セット損失値を取得し、最後に複数の検証セット損失値に基づいて医用画像認識モデルを決定してよい。上記方式で、ＳＧＤを用いてパラメータを更新することにより、モデルトレーニングの性能を保証することができ、その一方では、ｒｅｓｎｅｔ−１８構造は高いコストパフォーマンスを有するため、同時にモデルトレーニングの性能の最適化に有利である。
【０１３１】
任意選択で、上記図６に対応する第６の実施例を基に、本願の実施例に係るモデルトレーニング方法の第７の好ましい実施例では、複数の検証セット損失値に基づいて、医用画像認識モデルを決定するステップは、
複数の検証セット損失値から、目標検証セット損失値を決定するステップであって、目標検証セット損失値は、複数の検証セット損失値のうちの最小値である、ステップと、
目標検証セット損失値に対応するトレーニング結果を医用画像認識モデルとして決定するステップとを含んでよい。
【０１３２】
本実施例では、医用画像認識モデルを最適化する方式が説明される。サーバは、複数の検証セット損失値から、複数の検証セット損失値のうちの最小値である目標検証セット損失値を決定し、その後に、目標検証セット損失値に対応するトレーニング結果を医用画像認識モデルとして決定する必要がある。
【０１３３】
具体的には、モデルをトレーニングする前に目標関数を予め設定し、かつ全てのトレーニングセットをできるだけ該目標関数にする。しかしながら、実際に必ずしもこれらのトレーニングセットをいずれも目標関数にフィッティングさせることができるとは限らないため、該目標関数を繰り返して調整したり修正したりする必要がある。これらのトレーニングセットと目標関数の間の距離が最小となると、フィッティング効果が最適になったことを示すため、最小値状態における目標関数を最後に必要なトレーニング結果とすることにより、医用画像認識モデルを取得することができる。
【０１３４】
フィッティングは、平面上の一連の点を滑らかな曲線で結ぶことである。この曲線は無数の可能性があるため、様々なフィッティング方法がある。多くの要因は曲線フィッティングに影響を与えるため、フィッティング効果が低い場合も高い場合もあり、フィッティング品質を改善するために、以下の方式（１）〜（６）を採用してよい。
【０１３５】
（１）モデルの選択：これは最も主要な一つの要因であり、様々な異なるモデルを用いてデータをフィッティングして比較する；
（２）データ前処理：フィッティング前にデータに対して前処理を行うことは非常に有用であり、応答データに対して変換と明らかな誤りの除去を含む；
（３）合理的なフィッティングは、特異が発生して予測が無限大となる場合を処理する能力をもつべきである；
（５）データを幾つかのサブセットに分解し、異なるサブセットに対して異なる曲線フィッティングを用いる；
（６）複雑な問題を進化の方式で解決することは好ましく、即ち、１つの問題の少量の独立変数を先解決する。通常、低次元問題の解は、近似マッピングにより高次元問題解の開始点とする。
【０１３６】
また、本願の実施例では、医用画像認識モデルを最適化する方式を説明し、即ち、サーバは、まず複数の検証セット損失値から、複数の検証セット損失値のうちの最小値である目標検証セット損失値を決定し、その後に、目標検証セット損失値に対応するトレーニング結果を医用画像認識モデルとして決定する。上記方式で、検証セット損失値のうちの最小値を得ると、現在のモデルがより実際の状況に即することを示し、モデルの真実性により近いことも示すため、最適化後の医用画像認識モデルを取得し、指標に適合するモデル結果を選択し保存する。
【０１３７】
任意選択で、上記図６に対応する実施例を基に、本願の実施例に係るモデルトレーニング方法の第８の好ましい実施例では、各医用画像サンプルに対応するトレーニング対象領域と各医用画像サンプルに含まれる対応するアノテーション情報に基づいて、トレーニングして医用画像認識モデルを取得するステップの後に、
認識対象医用画像集合を取得するステップであって、認識対象医用画像集合に、少なくとも１つの認識対象医用画像が含まれる、ステップと、
認識対象医用画像集合中の各認識対象医用画像に対応する認識対象領域を抽出するステップであって、認識対象領域は、認識対象医用画像中の一部である、ステップと、
医用画像認識モデルで、各認識対象領域の認識結果を決定するステップであって、認識結果は、認識対象医用画像のタイプを示すためのものである、ステップとを更に含んでよい。
【０１３８】
本実施例では、医用画像認識モデルを用いて医用画像を認識する方式を説明する。肺部画像を例として説明し、図１２を参照して、図１２は、本願の実施例における医用画像認識モデルのロードフローの概略図であり、図１２に示すように、医用画像認識シーンにおいて、サーバは、まず認識対象医用画像集合を取得し、なお、ここの認識対象医用画像集合は、１つのみの認識対象医用画像を含んでもよく、複数の認識対象医用画像を含んでもよい。続いて、サーバは、各認識対象医用画像に対して特徴抽出を行うことで、認識対象領域を得て、特徴抽出プロセスは認識対象医用画像に画像補間と正規化処理を行うことを含む。サーバは各認識対象領域を医用画像モデルに入力し、該医用画像モデルで各認識対象領域に対応する認識結果を出力し、該認識結果は、認識対象医用画像のタイプ、例えば、「正常」、「肺気腫」、「気管支拡張」又は「石灰化」などを示すことができる。
【０１３９】
医用画像認識モデルは、大量の医用画像サンプルでトレーニングして得られ、各医用画像サンプルが対応するアノテーション情報を含み、例えば、１番の肺部画像サンプルのアノテーション情報が「正常」であり、２番の肺部画像サンプルのアノテーション情報が「肺気腫」であり、３番の肺部画像サンプルのアノテーション情報が「石灰化」であり、ここのアノテーション情報は、通常、手動でアノテーションして取得される。
【０１４０】
本願の実施例では、サーバは、トレーニングして医用画像認識モデルを取得した後に、さらに該医用画像認識モデルで認識対象医用画像集合を認識してよく、即ち、まず認識対象医用画像集合中の各認識対象医用画像に対応する、認識対象医用画像中の一部である認識対象領域を抽出し、その後に、医用画像認識モデルで各認識対象領域の認識結果を決定する。上記方式で、医用画像認識モデルで手動アノテーションを代替すると、手動アノテーションのコストと時間コストを大幅に節約することができる。また、該モデルを用いる医用画像の認識は、様々なシーンに適用することができ、認識の正確率は使用者によってばらつくことがなく、高い確実性と信頼性を有する。
【０１４１】
以下、本願の一実施例に対応するコンピュータ装置を詳細に説明し、図１３を参照して、図１３は、本願の実施例におけるコンピュータ装置の一実施例の概略図であり、コンピュータ装置３０は、
認識対象医用画像集合を取得する取得モジュールであって、該認識対象医用画像集合に、少なくとも１つの認識対象医用画像が含まれる取得モジュール３０１と、
該取得モジュール３０１によって取得された該認識対象医用画像集合中の各認識対象医用画像に対応する認識対象領域を抽出する抽出モジュールであって、該認識対象領域は、該認識対象医用画像中の一部の画像である抽出モジュール３０２と、
医用画像認識モデルで、該抽出モジュール３０２によって抽出された各認識対象領域の認識結果を決定する決定モジュールであって、該医用画像認識モデルは、医用画像サンプル集合に基づいてトレーニングして得られたものであり、該医用画像サンプル集合は、少なくとも１つの医用画像サンプルを含み、各医用画像サンプルに、対応するアノテーション情報が含まれ、該アノテーション情報は、医用画像サンプルのタイプを示すためのものであり、該認識結果は、認識対象医用画像のタイプを示すためのものである決定モジュール３０３とを含む。
【０１４２】
本願の実施例では、取得モジュール３０１は、少なくとも１つの認識対象医用画像を含む認識対象医用画像集合を取得し、抽出モジュール３０２は、該取得モジュール３０１によって取得された該認識対象医用画像集合中の各認識対象医用画像に対応し、該認識対象医用画像中の一部である認識対象領域を抽出し、決定モジュール３０３は、医用画像認識モデルで、該抽出モジュール３０２によって抽出された各認識対象領域の認識結果を決定し、該医用画像認識モデルが医用画像サンプル集合に基づいてトレーニングして得られ、該医用画像サンプル集合が少なくとも１つの医用画像サンプルを含み、各医用画像サンプルに、対応するアノテーション情報が含まれ、該アノテーション情報が医用画像サンプルのタイプを示し、該認識結果が認識対象医用画像のタイプを示す。
【０１４３】
本願の実施例では、医用画像認識方法が提供され、まず、コンピュータ装置は、少なくとも１つの認識対象医用画像を含む認識対象医用画像集合を取得し、その後に、認識対象医用画像集合中の各認識対象医用画像に対応する、認識対象医用画像中の一部である認識対象領域を抽出し、最後に、医用画像認識モデルで、各認識対象領域の認識結果を決定し、医用画像認識モデルが医用画像サンプル集合に基づいてトレーニングして得られたものであり、医用画像サンプル集合が少なくとも１つの医用画像サンプルを含み、各医用画像サンプルに、対応するアノテーション情報が含まれ、アノテーション情報が医用画像サンプルのタイプを示すためのものであり、認識結果が認識対象医用画像のタイプを示すためのものである。上記方式で、医用画像認識モデルで手動アノテーションを代替すると、手動アノテーションのコストと時間コストを大幅に節約することができる。また、該モデルを用いる医用画像の認識は、様々なシーンに適用することができ、認識の正確率は使用者によってばらつくことがなく、高い確実性と信頼性を有する。
【０１４４】
以下、本願の別の実施例に対応するコンピュータ装置を詳細に説明し、図１４を参照して、図１４は、本願の実施例におけるコンピュータ装置の一実施例の概略図であり、コンピュータ装置４０は、
トレーニング対象の医用画像サンプル集合を取得する取得モジュールであって、該医用画像サンプル集合は、少なくとも１つの医用画像サンプルを含み、各医用画像サンプルに、対応するアノテーション情報が含まれ、該アノテーション情報は、医用画像サンプルのタイプを示すためのものである取得モジュール４０１と、
該取得モジュール４０１によって取得された該医用画像サンプル集合中の各医用画像サンプルに対応するトレーニング対象領域を抽出する抽出モジュールであって、該トレーニング対象領域は、該医用画像サンプル中の一部の画像である抽出モジュール４０２と、
該抽出モジュールによって抽出された該各医用画像サンプルに対応するトレーニング対象領域と、該各医用画像サンプルに含まれる対応するアノテーション情報とに基づいて、トレーニングして医用画像認識モデルを取得するトレーニングモジュール４０３とを含む。
【０１４５】
本願の実施例では、取得モジュール４０１は、医用画像サンプルのタイプを示す対応するアノテーション情報をそれぞれ含む少なくとも１つの医用画像サンプルを含むトレーニング対象の医用画像サンプル集合を取得し、抽出モジュール４０２は、該取得モジュール４０１によって取得された該医用画像サンプル集合中の各医用画像サンプルに対応する、該医用画像サンプル中の一部であるトレーニング対象領域を抽出し、トレーニングモジュール４０３は、該抽出モジュールによって抽出された該各医用画像サンプルに対応するトレーニング対象領域と該各医用画像サンプルに含まれる対応するアノテーション情報に基づいて、トレーニングして医用画像認識モデルを取得する。
【０１４６】
本願の実施例では、医用画像サンプルのタイプを示す対応するアノテーション情報をそれぞれ含む少なくとも１つの医用画像サンプルを含むトレーニング対象の医用画像サンプル集合を取得し、その後に、医用画像サンプル集合中の各医用画像サンプルに対応する、医用画像サンプル中の一部であるトレーニング対象領域を抽出し、最後に、各医用画像サンプルに対応するトレーニング対象領域と各医用画像サンプルに含まれる対応するアノテーション情報に基づいて、トレーニングして医用画像認識モデルを取得する。上記方式で、トレーニングして医用画像の認識モデルを取得し、該モデルで手動アノテーションを代替することができ、手動アノテーションのコストと時間コストを大幅に節約することができる。また、モデルは、実際のニーズに応じてトレーニングを行い、出力した結果を最適化し、結果の手動出力に比べてより高いフォールトトレランスを有する。
【０１４７】
任意選択で、上記図１４に対応する実施例を基に、図１５を参照して、本願の実施例に係るコンピュータ装置４０の別の実施例では、該コンピュータ装置４０は、さらに決定モジュール４０４を含み、
該取得モジュール４０１は、さらに、トレーニング対象の医用画像サンプル集合を取得する前に、オリジナル医用画像集合を取得し、該オリジナル医用画像集合は、少なくとも１つのオリジナル医用画像を含み、
該取得モジュール４０１は、さらに、該オリジナル医用画像集合中の各オリジナル医用画像のラベル情報を取得し、該ラベル情報は、該オリジナル医用画像に関連する情報を含み、
該決定モジュール４０４は、該オリジナル医用画像集合から該トレーニング対象の医用画像サンプル集合を取得するまで、該取得モジュール４０１によって取得された該オリジナル医用画像のラベル情報がサンプル抽出条件を満足すれば、該オリジナル医用画像が該医用画像サンプルであると決定する。
【０１４８】
本願の実施例では、オリジナル医用画像集合を取得するにあたって、オリジナル医用画像集合中の各オリジナル医用画像のラベル情報を分析する必要があり、ラベル情報がサンプル抽出条件を満足するオリジナル医用画像のみ、医用画像サンプルとすることができる。上記方式で、ラベル情報を用いて無関係なオリジナル医用画像を大量除去できるため、トレーニングの時間コストを節約して、データ全体をより純粋にして、モデルトレーニングの品質と効果を向上させる。
【０１４９】
任意選択で、上記図１４に対応する実施例を基に、図１６を参照して、本願の実施例に係るコンピュータ装置４０の別の実施例では、該コンピュータ装置４０は、さらに決定モジュール４０４及びマッチングモジュール４０５を含み、
該取得モジュール４０１は、さらに、オリジナル医用画像集合を取得し、該オリジナル医用画像集合は、少なくとも１つのオリジナル医用画像を含み、
該取得モジュール４０１は、さらに、該オリジナル医用画像集合中の各オリジナル医用画像のラベル情報を取得し、該ラベル情報は、該オリジナル医用画像に関連する情報を含み、
該マッチングモジュール４０５は、該取得モジュール４０１によって取得された該オリジナル医用画像のラベル情報がサンプル抽出条件を満足すれば、該オリジナル医用画像を目標医用画像とマッチングし、該目標医用画像は、予め設定された画像テンプレートであり、
該決定モジュール４０４は、該オリジナル医用画像集合から該トレーニング対象の医用画像サンプル集合を取得するまで、該取得モジュール４０１によって取得された該オリジナル医用画像と該目標医用画像とのマッチングに成功すれば、該オリジナル医用画像が該医用画像サンプルであると決定する。
【０１５０】
本願の実施例では、まず、コンピュータ装置は、オリジナル医用画像集合を取得し、その後に、オリジナル医用画像集合中の各オリジナル医用画像のラベル情報を取得し、オリジナル医用画像のラベル情報がサンプル抽出条件を満足すれば、オリジナル医用画像と目標医用画像を継続してマッチングし、オリジナル医用画像集合からトレーニング対象の医用画像サンプル集合を取得するまで、オリジナル医用画像と目標医用画像とのマッチングに成功した場合のみ、オリジナル医用画像が医用画像サンプルであると決定する。上記方式で、ラベル情報及びテンプレートを同時に用いてオリジナル医用画像をマッチングし、二重検証により、入力データ全体の後続の処理での有効性を保証し、無関係なデータが全体システムに混入することを回避し、全体的な異常検査及び分類に極めて重要であるため、さらにトレーニングの時間コストを節約することで、モデルトレーニングの品質と効果を向上させる。
【０１５１】
任意選択で、上記図１４に対応する実施例を基に、本願の実施例に係るコンピュータ装置４０の別の実施例では、
該抽出モジュール４０２は、具体的には、所定の反射値に基づいて該医用画像サンプル集合中の各医用画像サンプルを二値化処理し、該各医用画像サンプルに対応する二値医用画像を取得し、予め設定された画像テンプレートである目標医用画像を用いて各二値医用画像をマッチングして、該各二値医用画像に対応する処理対象領域を抽出し、各処理対象領域に対して、オープニング処理又はクロージング処理のうちの少なくとも一方を含む画像平滑化処理を行って、該各処理対象領域に対応する抽出対象輪郭を生成し、各抽出対象輪郭を用いて該各医用画像サンプルから、対応する該トレーニング対象領域をそれぞれ抽出する。
【０１５２】
次に、本願の実施例では、医用画像サンプル集合中の各医用画像サンプルに対応するトレーニング対象領域を抽出するステップは、具体的には、まず、所定の反射値に基づいて医用画像サンプル集合中の各医用画像サンプルを二値化処理し、各医用画像サンプルに対応する二値医用画像を取得するステップと、その後に目標医用画像を用いて各二値医用画像をマッチングして、各二値医用画像に対応する処理対象領域を抽出するステップと、各処理対象領域に対して画像平滑化処理を行って、各処理対象領域に対応する抽出対象輪郭を生成するステップと、最後に各抽出対象輪郭を用いて各医用画像サンプルから、対応するトレーニング対象領域をそれぞれ抽出するステップとを含んでよい。上記方式で、医用画像サンプルからトレーニング対象領域をより正確に抽出することができるため、大量の計算時間コストを節約することにより、医用画像認識モデルは具体的な領域の検査に集中して、誤った情報検出を回避し、モデル正確率を向上させる。
【０１５３】
任意選択で、上記図１４に対応する実施例を基に、図１７を参照して、本願の実施例に係るコンピュータ装置４０の別の実施例では、該コンピュータ装置４０は、さらに処理モジュール４０６を含み、
該処理モジュール４０６は、該抽出モジュール４０２が該医用画像サンプル集合中の各医用画像サンプルに対応するトレーニング対象領域を抽出した後に、該トレーニング対象領域が第１の所定領域以上であれば、該トレーニング対象領域を縮小処理し、
該処理モジュール４０６は、該抽出モジュール４０２によって抽出された該トレーニング対象領域が第２の所定領域以下であれば、該トレーニング対象領域を拡大処理する。
【０１５４】
本願の実施例では、コンピュータ装置は、さらに、医用画像サンプル集合中の各医用画像サンプルに対応するトレーニング対象領域を抽出した後、トレーニング対象領域に対して対応する処理を行ってよく、トレーニング対象領域が第１の所定領域以上であれば、トレーニング対象領域を縮小処理し、逆に、トレーニング対象領域が第２の所定領域以下であれば、トレーニング対象領域を拡大処理する。上記方式で、トレーニング対象領域に対して画像補間処理を行ってよく、低解像度画像から高解像度画像を生成して、画像中の失われた情報を回復して、トレーニング対象領域の３次元画像における各方向の単位物理長さを等距離状態にして、モデルの測定と計算を容易にすることができる。
【０１５５】
任意選択で、上記図１４又は図１７に対応する実施例を基に、本願の実施例に係るコンピュータ装置４０の別の実施例では、
該取得モジュール４０１は、さらに、該抽出モジュール４０２が該医用画像サンプル集合中の各医用画像サンプルに対応するトレーニング対象領域を抽出した後に、各トレーニング対象領域に対応する反射値の区間を取得し、該反射値の区間の最大値は第１の反射値で、該反射値の区間の最小値は第２の反射値であり、
該処理モジュール４０６は、さらに、該取得モジュール４０１によって取得された該反射値の区間に基づいて該各トレーニング対象領域を正規化処理して、正規化領域を得て、
該トレーニングモジュール４０３は、具体的には、該各医用画像サンプルに対応する正規化領域と該各医用画像サンプルに含まれる対応するアノテーション情報に基づいて、トレーニングして該医用画像認識モデルを取得し、
該処理モジュール４０６は、具体的には、
【数９】
2021518966.tif 000012
という式により該正規化領域を得て、
ただし、該ｘｏｕｔは該正規化領域を表し、該ｘは該トレーニング対象領域の画素点の値を表し、該ｘｍａｘは該第１の反射値を表し、該ｘｍｉｎは該第２の反射値を表す。
【０１５６】
本願の実施例では、医用画像サンプル集合中の各医用画像サンプルに対応するトレーニング対象領域を抽出した後、モデルで高いトレーニング効果取得させるために、コンピュータ装置は、さらに、各トレーニング対象領域に対応する反射値の区間を取得し、反射値の区間に基づいて各トレーニング対象領域を正規化処理して、正規化領域を得てよい。上記方式で、トレーニング対象領域を正規化処理して、トレーニング対象領域全体を０〜１に線形スケーリングし、次元を持つ表現式を次元をもたない表現式にし、全てのトレーニング対象領域に対応する画像を次元的に統一状態にすることにより、データ処理を容易にし、データの演算をより迅速かつ効率的にする。
【０１５７】
任意選択で、上記図１４に対応する実施例を基に、本願の実施例に係るコンピュータ装置４０の別の実施例では、
該トレーニングモジュール４０３は、具体的には、確率的勾配降下アルゴリズムＳＧＤで、残差ネットワークｒｅｓｎｅｔ−１８構造により、該各医用画像サンプルに対応するトレーニング対象領域と、該各医用画像サンプルに含まれる対応するアノテーション情報とをトレーニングして、トレーニング結果を取得し、
該トレーニング結果に基づいて、複数の検証セット損失値を取得し、
該複数の検証セット損失値に基づいて、該医用画像認識モデルを決定する。
【０１５８】
次に、本願の実施例では、トレーニングして医用画像認識モデルを取得する方式を説明し、具体的には、ＳＧＤ方式でｒｅｓｎｅｔ−１８構造により、各医用画像サンプルに対応するトレーニング対象領域と各医用画像サンプルに含まれる対応するアノテーション情報をトレーニングしてトレーニング結果を取得し、その後にトレーニング結果に基づいて複数の検証セット損失値を取得し、最後に複数の検証セット損失値に基づいて医用画像認識モデルを決定してよい。上記方式で、ＳＧＤを用いてパラメータを更新することにより、モデルトレーニングの性能を保証することができ、その一方では、ｒｅｓｎｅｔ−１８構造は高いコストパフォーマンスを有するため、同時にモデルトレーニングの性能の最適化に有利である。
【０１５９】
任意選択で、上記図１４に対応する実施例を基に、本願の実施例に係るコンピュータ装置４０の別の実施例では、
該決定モジュール４０４は、具体的には、該複数の検証セット損失値から、目標検証セット損失値を決定し、該目標検証セット損失値は、該複数の検証セット損失値のうちの最小値であり、
該目標検証セット損失値に対応するトレーニング結果を該医用画像認識モデルとして決定する。
【０１６０】
また、本願の実施例では、医用画像認識モデルを最適化する方式を説明し、即ち、コンピュータ装置は、まず複数の検証セット損失値から、複数の検証セット損失値のうちの最小値である目標検証セット損失値を決定し、その後に、目標検証セット損失値に対応するトレーニング結果を医用画像認識モデルとして決定する。上記方式で、検証セット損失値のうちの最小値を得ると、現在のモデルがより実際の状況に即することを示し、モデルの真実性により近いことも示すため、最適化後の医用画像認識モデルを取得し、指標に適合するモデル結果を選択し保存する。
【０１６１】
任意選択で、上記図１４に対応する実施例を基に、本願の実施例に係るコンピュータ装置４０の別の実施例では、
該取得モジュール４０１は、さらに、該トレーニングモジュール４０３が該各医用画像サンプルに対応するトレーニング対象領域と、該各医用画像サンプルに含まれる対応するアノテーション情報に基づいて、トレーニングして医用画像認識モデルを取得した後に、認識対象医用画像集合を取得し、該認識対象医用画像集合に、少なくとも１つの認識対象医用画像が含まれ、
該抽出モジュール４０２は、さらに、該取得モジュール４０１によって取得された該認識対象医用画像集合中の各認識対象医用画像に対応する認識対象領域を抽出し、該認識対象領域は、該認識対象医用画像中の一部の画像であり、
該決定モジュール４０４は、さらに、該医用画像認識モデルで、該抽出モジュール４０２によって抽出された各認識対象領域の認識結果を決定し、該認識結果は、認識対象医用画像のタイプを示すためのものである。
【０１６２】
本願の実施例では、コンピュータ装置は、トレーニングして医用画像認識モデルを取得した後に、さらに該医用画像認識モデルで認識対象医用画像集合を認識してよく、即ち、まず認識対象医用画像集合中の各認識対象医用画像に対応する、認識対象医用画像中の一部である認識対象領域を抽出し、その後に、医用画像認識モデルで各認識対象領域の認識結果を決定する。上記方式で、医用画像認識モデルで手動アノテーションを代替すると、手動アノテーションのコストと時間コストを大幅に節約することができる。また、該モデルを用いる医用画像の認識は、様々なシーンに適用することができ、認識の正確率は使用者によってばらつくことがなく、高い確実性と信頼性を有する。
【０１６３】
図１８は、本願の実施例に係るコンピュータ装置の概略構成図であり、該コンピュータ装置５００は、構成又は性能によって大きく異なる可能性があり、１つ以上の中央処理装置（ｃｅｎｔｒａｌ  ｐｒｏｃｅｓｓｉｎｇ  ｕｎｉｔｓ、ＣＰＵ）５２２（例えば、１つ以上のプロセッサ）と、メモリ５３２と、アプリケーションプログラム５４２又はデータ５４４を記憶する１つ以上の記憶媒体５３０（例えば、１つ以上の大容量記憶装置）と、を含んでよい。メモリ５３２及び記憶媒体５３０は、一時的記憶装置でも永続的記憶装置でもよい。記憶媒体５３０に記憶されたプログラムは、それぞれコンピュータ装置に対する一連の命令操作を含む１つ以上のモジュール（図示せず）を含んでよい。さらに、中央処理装置５２２は、記憶媒体５３０と通信して、記憶媒体５３０における一連の命令操作をコンピュータ装置５００で実行するように構成されてよい。
【０１６４】
コンピュータ装置５００は、１つ以上の電源５２６、１つ以上の有線又は無線ネットワークインタフェース５５０、１つ以上の入出力インタフェース５５８、及び／又は１つ以上のオペレーティングシステム５４１、例えば、Ｗｉｎｄｏｗｓ  Ｓｅｒｖｅｒ（登録商標）、Ｍａｃ  ＯＳ  Ｘ（登録商標）、Ｕｎｉｘ（登録商標）、Ｌｉｎｕｘ（登録商標）、ＦｒｅｅＢＳＤ（登録商標）などをさらに含んでよい。
【０１６５】
上記実施例では、コンピュータ装置によって実行されたステップは、該図１８に示されるコンピュータ装置の構造に基づくことができる。
【０１６６】
本願の実施例では、ＣＰＵ  ５２２は、
認識対象医用画像集合を取得するステップであって、該認識対象医用画像集合は、少なくとも１つの認識対象医用画像を含む、ステップと、
該認識対象医用画像集合中の各認識対象医用画像に対応する認識対象領域を抽出するステップであって、該認識対象領域は、該認識対象医用画像中の一部の画像である、ステップと、
医用画像認識モデルで、各認識対象領域の認識結果を決定するステップであって、該医用画像認識モデルは、医用画像サンプル集合に基づいてトレーニングして得られたものであり、該医用画像サンプル集合は、少なくとも１つの医用画像サンプルを含み、各医用画像サンプルに、対応するアノテーション情報が含まれ、該アノテーション情報は、医用画像サンプルのタイプを示すためのものであり、該認識結果は、認識対象医用画像のタイプを示すためのものである、ステップとを実行する。
【０１６７】
任意選択で、本願の実施例では、ＣＰＵ  ５２２は、さらに、
認識対象オリジナル医用画像集合を取得するステップであって、該認識対象オリジナル医用画像集合は、少なくとも１つの認識対象オリジナル医用画像を含む、ステップと、
該認識対象オリジナル医用画像集合中の各認識対象オリジナル医用画像のラベル情報を取得するステップであって、該ラベル情報は、該認識対象オリジナル医用画像に関連する情報を含む、ステップと、
該認識対象オリジナル医用画像集合から該認識対象医用画像集合を取得するまで、該認識対象オリジナル医用画像のラベル情報がサンプル抽出条件を満足すれば、該認識対象オリジナル医用画像を該認識対象医用画像として決定するステップとを実行する。
【０１６８】
任意選択で、本願の実施例では、ＣＰＵ  ５２２は、さらに、
認識対象オリジナル医用画像集合を取得するステップであって、該認識対象オリジナル医用画像集合は、少なくとも１つの認識対象オリジナル医用画像を含む、ステップと、
該認識対象オリジナル医用画像集合中の各認識対象オリジナル医用画像のラベル情報を取得するステップであって、該ラベル情報は、該認識対象オリジナル医用画像に関連する情報を含む、ステップと、
認識対象オリジナル医用画像のラベル情報がサンプル抽出条件を満足すれば、該認識対象オリジナル医用画像を目標医用画像とマッチングするステップであって、該目標医用画像は、予め設定された画像テンプレートである、ステップと、
該認識対象オリジナル医用画像集合から該認識対象医用画像集合を取得するまで、該認識対象オリジナル医用画像と該目標医用画像とのマッチングに成功すれば、該認識対象オリジナル医用画像を該認識対象医用画像として決定するステップとを実行する。
【０１６９】
任意選択で、本願の実施例では、ＣＰＵ  ５２２は、具体的には、
所定の反射値に基づいて該認識対象医用画像集合中の各認識対象医用画像を二値化処理し、該各認識対象医用画像に対応する二値医用画像を取得するステップと、
目標医用画像を用いて各二値医用画像をマッチングして、該各二値医用画像に対応する処理対象領域を抽出するステップであって、該目標医用画像は、予め設定された画像テンプレートである、ステップと、
各処理対象領域に対して画像平滑化処理を行って、該各処理対象領域に対応する抽出対象輪郭を生成するステップであって、該画像平滑化処理は、該各処理対象領域に対するオープニング処理又はクロージング処理のうちの少なくとも一方を含む、ステップと、
各抽出対象輪郭を用いて該各認識対象医用画像から、対応する該認識対象領域をそれぞれ抽出するステップとを実行する。
【０１７０】
任意選択で、本願の実施例では、ＣＰＵ  ５２２は、さらに、
該認識対象領域が第１の所定領域以上であれば、該認識対象領域を縮小処理し、
該認識対象領域が第２の所定領域以下であれば、該認識対象領域を拡大処理するステップを実行する。
【０１７１】
任意選択で、本願の実施例では、ＣＰＵ  ５２２は、さらに、
各認識対象領域に対応する反射値の区間を取得するステップであって、該反射値の区間の最大値は第１の反射値で、該反射値の区間の最小値は第２の反射値である、ステップと、
該反射値の区間に基づいて該各認識対象領域を正規化処理して、正規化領域を得るステップとを実行し、
医用画像認識モデルで、各認識対象領域の認識結果を決定するステップは、
該医用画像認識モデルで、該各認識対象領域の正規化領域に対応する認識結果を決定するステップを含み、
該反射値の区間に基づいて該各認識対象領域を正規化処理して、正規化領域を得るステップは、
【数１０】
2021518966.tif 000013
という式により該正規化領域を得るステップであって、該ｘｏｕｔは該正規化領域を表し、該ｘは該認識対象領域の画素点の値を表し、該ｘｍａｘは該第１の反射値を表し、該ｘｍｉｎは該第２の反射値を表す、ステップを含む。
【０１７２】
本願の実施例では、ＣＰＵ  ５２２は、
トレーニング対象の医用画像サンプル集合を取得するステップであって、医用画像サンプル集合は、少なくとも１つの医用画像サンプルを含み、各医用画像サンプルに、対応するアノテーション情報が含まれ、該アノテーション情報は、医用画像サンプルのタイプを示すためのものである、ステップと、
該医用画像サンプル集合中の各医用画像サンプルに対応するトレーニング対象領域を抽出するステップであって、該トレーニング対象領域は、該医用画像サンプル中の一部の画像である、ステップと、
該各医用画像サンプルに対応するトレーニング対象領域と、該各医用画像サンプルに含まれる対応するアノテーション情報とに基づいて、トレーニングして医用画像認識モデルを取得するステップとを実行する。
【０１７３】
任意選択で、本願の実施例では、ＣＰＵ  ５２２は、さらに、
オリジナル医用画像集合を取得するステップであって、該オリジナル医用画像集合は、少なくとも１つのオリジナル医用画像を含む、ステップと、
該オリジナル医用画像集合中の各オリジナル医用画像のラベル情報を取得するステップであって、該ラベル情報は、該オリジナル医用画像に関連する情報を含む、ステップと、
該オリジナル医用画像集合から該トレーニング対象の医用画像サンプル集合を取得するまで、該オリジナル医用画像のラベル情報がサンプル抽出条件を満足すれば、該オリジナル医用画像を該医用画像サンプルとして決定するステップとを実行する。
【０１７４】
任意選択で、本願の実施例では、ＣＰＵ  ５２２は、さらに、
オリジナル医用画像集合を取得するステップであって、該オリジナル医用画像集合は、少なくとも１つのオリジナル医用画像を含む、ステップと、
該オリジナル医用画像集合中の各オリジナル医用画像のラベル情報を取得するステップであって、該ラベル情報は、該オリジナル医用画像に関連する情報を含む、ステップと、
該オリジナル医用画像のラベル情報がサンプル抽出条件を満足すれば、該オリジナル医用画像を目標医用画像とマッチングするステップであって、該目標医用画像は、予め設定された画像テンプレートである、ステップと、
該オリジナル医用画像集合から該トレーニング対象の医用画像サンプル集合を取得するまで、該オリジナル医用画像と該目標医用画像とのマッチングに成功すれば、該オリジナル医用画像を該医用画像サンプルとして決定するステップとを実行する。
【０１７５】
任意選択で、本願の実施例では、ＣＰＵ  ５２２は、具体的には、
所定の反射値に基づいて該医用画像サンプル集合中の各医用画像サンプルを二値化処理し、該各医用画像サンプルに対応する二値医用画像を取得するステップと、
目標医用画像を用いて各二値医用画像をマッチングして、該各二値医用画像に対応する処理対象領域を抽出するステップであって、該目標医用画像は、予め設定された画像テンプレートである、ステップと、
各処理対象領域に対して画像平滑化処理を行って、該各処理対象領域に対応する抽出対象輪郭を生成するステップであって、該画像平滑化処理は、該各処理対象領域に対応するオープニング処理又はクロージング処理のうちの少なくとも一方を含む、ステップと、
各抽出対象輪郭を用いて該各医用画像サンプルから、対応する該トレーニング対象領域をそれぞれ抽出するステップとを実行する。
【０１７６】
任意選択で、本願の実施例では、ＣＰＵ  ５２２は、さらに、
該トレーニング対象領域が第１の所定領域以上であれば、該トレーニング対象領域を縮小処理し、
該トレーニング対象領域が第２の所定領域以下であれば、該トレーニング対象領域を拡大処理するステップを実行する。
【０１７７】
任意選択で、本願の実施例では、ＣＰＵ  ５２２は、さらに、
各トレーニング対象領域に対応する反射値の区間を取得するステップであって、該反射値の区間の最大値は第１の反射値で、該反射値の区間の最小値は第２の反射値である、ステップと、
該反射値の区間に基づいて該各トレーニング対象領域を正規化処理して、正規化領域を得るステップとを実行し、
ＣＰＵ  ５２２は、具体的には、
該各医用画像サンプルに対応する正規化領域と該各医用画像サンプルに含まれる対応するアノテーション情報とに基づいて、トレーニングして該医用画像認識モデルを取得するステップを実行し、
ＣＰＵ  ５２２は、具体的には、
【数１１】
2021518966.tif 000014
という式により該正規化領域を得るステップであって、該ｘｏｕｔは該正規化領域を表し、該ｘは該トレーニング対象領域の画素点の値を表し、該ｘｍａｘは該第１の反射値を表し、該ｘｍｉｎは該第２の反射値を表す、ステップを実行する。
【０１７８】
任意選択で、本願の実施例では、ＣＰＵ  ５２２は、具体的には、
確率的勾配降下アルゴリズムＳＧＤで、残差ネットワークｒｅｓｎｅｔ−１８構造により、該各医用画像サンプルに対応するトレーニング対象領域と、該各医用画像サンプルに含まれる対応するアノテーション情報とをトレーニングして、トレーニング結果を取得するステップと、
該トレーニング結果に基づいて、複数の検証セット損失値を取得するステップと、
該複数の検証セット損失値に基づいて、該医用画像認識モデルを決定するステップとを実行する。
【０１７９】
任意選択で、本願の実施例では、ＣＰＵ  ５２２は、具体的には、
該複数の検証セット損失値から、目標検証セット損失値を決定するステップであって、該目標検証セット損失値は、該複数の検証セット損失値のうちの最小値である、ステップと、
該目標検証セット損失値に対応するトレーニング結果を該医用画像認識モデルとして決定するステップとを実行する。
【０１８０】
任意選択で、本願の実施例では、ＣＰＵ  ５２２は、さらに、
認識対象医用画像集合を取得するステップであって、該認識対象医用画像集合は、少なくとも１つの認識対象医用画像を含む、ステップと、
該認識対象医用画像集合中の各認識対象医用画像に対応する認識対象領域を抽出するステップであって、該認識対象領域は、該認識対象医用画像中の一部の画像である、ステップと、
該医用画像認識モデルで、各認識対象領域の認識結果を決定するステップであって、該認識結果は、認識対象医用画像のタイプを示すためのものである、ステップとを実行する。
【０１８１】
本願の実施例は、さらに、プロセッサによってロードされ実行されると、
認識対象医用画像集合を取得するステップであって、該認識対象医用画像集合は、少なくとも１つの認識対象医用画像を含む、ステップと、
該認識対象医用画像集合中の各認識対象医用画像に対応する認識対象領域を抽出するステップであって、該認識対象領域は、該認識対象医用画像中の一部の画像である、ステップと、
医用画像認識モデルで、各認識対象領域の認識結果を決定するステップであって、該医用画像認識モデルは、医用画像サンプル集合に基づいてトレーニングして得られたものであり、該医用画像サンプル集合は、少なくとも１つの医用画像サンプルを含み、各医用画像サンプルに、対応するアノテーション情報が含まれ、該アノテーション情報は、医用画像サンプルのタイプを示すためのものであり、該認識結果は、認識対象医用画像のタイプを示すためのものである、ステップとを実現する少なくとも１つのプログラムコードが記憶されているコンピュータ可読記憶媒体であってよい記憶媒体を提供する。
【０１８２】
本願の実施例は、さらに、プロセッサによってロードされ実行されると、
トレーニング対象の医用画像サンプル集合を取得するステップであって、該医用画像サンプル集合は、少なくとも１つの医用画像サンプルを含み、各医用画像サンプルに、対応するアノテーション情報が含まれ、該アノテーション情報は、医用画像サンプルのタイプを示すためのものである、ステップと、
該医用画像サンプル集合中の各医用画像サンプルに対応するトレーニング対象領域を抽出するステップであって、該トレーニング対象領域は、該医用画像サンプル中の一部の画像である、ステップと、
該各医用画像サンプルに対応するトレーニング対象領域と、該各医用画像サンプルに含まれる対応するアノテーション情報とに基づいて、トレーニングして医用画像認識モデルを取得するステップとを実現する少なくとも１つのプログラムコードが記憶されているコンピュータ可読記憶媒体であってよい記憶媒体を提供する。
【０１８３】
上記実施例では、全て又は部分的にソフトウェア、ハードウェア、ファームウェア又は他の任意の組み合わせにより実現してよい。ソフトウェアで実現する場合、全て又は部分的にコンピュータプログラム製品の形態で実現してよい。
【０１８４】
該コンピュータプログラム製品は、１つ又は複数のコンピュータ命令を含む。コンピュータに該コンピュータプログラム命令をロードし実行するときに、本願の実施例に記載のフロー又は機能に基づいて全て又は部分的に生成される。該コンピュータは、汎用コンピュータ、専用コンピュータ、コンピュータネットワーク、又は他のプログラマブル装置であってよい。該コンピュータ命令は、コンピュータ可読記憶媒体に記憶されてもよく、１つのコンピュータ可読記憶媒体から別のコンピュータ可読記憶媒体に送信されてもよく、例えば、該コンピュータ命令は、有線（例えば、同軸ケーブル、光ファイバー、デジタル加入者線（Ｄｉｇｉｔａｌ  Ｓｕｂｓｃｒｉｂｅｒ  Ｌｉｎｅ、ＤＳＬ）又は無線（例えば、赤外線、無線、マイクロ波など）方式で、１つのウェブサイト、コンピュータ、コンピュータ装置又はデータセンターから別のウェブサイト、コンピュータ、コンピュータ装置又はデータセンターに送信されてよい。該コンピュータ可読記憶媒体は、コンピュータによってアクセスされ得る任意の利用可能な媒体、又は１つ又は複数の利用可能な媒体で集積されたサーバ、データセンターなどを含むデータ記憶装置であってよい。該利用可能な媒体は、磁気媒体（例えば、フロッピー（登録商標）ディスク、ハードディスク、磁気テープ）、光学媒体（例えば、デジタル・バーサタイル・ディスク（Ｄｉｇｉｔａｌ  Ｖｅｒｓａｔｉｌｅ  Ｄｉｓｃ、ＤＶＤ））又は半導体媒体（例えば、ソリッドステートディスク（Ｓｏｌｉｄ  Ｓｔａｔｅ  Ｄｉｓｋ、ＳＳＤ））などであってよい。当業者が明確に理解できるように、容易かつ簡潔に説明するために、上述したシステム、装置及びユニットの具体的な動作過程は前述の方法の実施例における対応プロセスを参照すればよく、ここで説明を省略する。
【０１８５】
本願に係る一部の実施例では、理解すべきことは、開示されたシステム、装置及び方法は他の方式で実現することができる。例えば、以上に説明された装置の実施例は例示的なものに過ぎず、例えば、該ユニットの分割は論理的な機能の分割に過ぎず、実際の実施においては他の分割仕様があってもよく、例えば、複数のユニット又は構成要素は組み合わせるか又は他のシステムに集積されてもよく、或いは一部の特徴を無視するか又は実行しなくてもよい。また、図示又は検討された互いの結合、直接的な結合又は通信接続は、いくつかのインタフェース、装置又はユニットによる間接的な結合又は通信接続であってもよく、電気的、機械的又は他の形態であってもよい。
【０１８６】
分離した部材として説明された該ユニットは、物理的に分離してもよいし、分離しなくてもよく、ユニットとして表示された部材は、物理的なユニットであってもよいし、物理的なユニットでなくてもよく、即ち、１つの場所に位置してもよく、複数のネットワークユニット上に分布してもよい。実際のニーズに応じて、それらのうちの一部又は全部のユニットを選択して本実施例の技術手段の目的を達成することができる。
【０１８７】
また、本願の各実施例中の各機能ユニットは、すべてが１つの処理ユニットに集積されてもよいし、それぞれが物理的に独立してもよいし、２つ以上のユニットが１つのユニットに集積されてもよい。上記集積されたユニットは、ハードウェアの形態で実現されてもよく、ソフトウェア機能ユニットの形態で実現されてもよい。
【０１８８】
該集積されたユニットは、ソフトウェア機能ユニットの形態で実現されて独立な製品として販売又は使用される場合、コンピュータ可読記憶媒体に記憶することができる。このような理解に基づいて、本願の技術手段は、本質的に従来技術に対する貢献のある部分又は該技術手段の全部又は一部をソフトウェア製品の形態で実現することができ、該コンピュータソフトウェア製品は記憶媒体に記憶され、一つのコンピュータ装置（パーソナルコンピュータ、サーバ又はネットワーク装置などであってよい）に本願の各実施例における該方法の全部又は一部のステップを実行させる幾つかの命令を含む。前述の記憶媒体は、ＵＳＢフラッシュドライブ、リムーバブルハードディスク、リードオンリーメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク又は光ディスクなどの、プログラムコードを記憶できる様々な媒体を含む。
【０１８９】
以上の実施例は、本願の技術手段を説明するためのものに過ぎず、それを制限するものではない。前述した実施例を参照しながら本願を詳細に説明したが、当業者であれば理解できるように、依然として前述した各実施例に記載の技術手段を変更し、又はその一部の技術的特徴に等価置換を行うことができ、これらの修正又は置換により、対応する技術手段の本質は、本願の各実施例の技術手段の主旨及び範囲から逸脱することにならない。
【符号の説明】
【０１９０】
３０  コンピュータ装置
３０１  取得モジュール
３０２  抽出モジュール
３０３  決定モジュール
４０  コンピュータ装置
４０１  取得モジュール
４０２  抽出モジュール
４０３  トレーニングモジュール
４０４  決定モジュール
４０５  マッチングモジュール
４０６  処理モジュール
５００  コンピュータ装置
５２２  中央処理装置
５２６  電源
５３０  記憶媒体
５３２  メモリ
５４１  オペレーティングシステム
５４２  アプリケーションプログラム
５４４  データ
５５０  有線又は無線ネットワークインタフェース
５５８  入出力インタフェース
【図１】
2021518966.tif 000017
【図２】
2021518966.tif 000018
【図３】
2021518966.tif 000019
【図４】
2021518966.tif 000020
【図５】
2021518966.tif 000021
【図６】
2021518966.tif 000022
【図７】
2021518966.tif 000023
【図８】
2021518966.tif 000024
【図９】
2021518966.tif 000025
【図１０】
2021518966.tif 000026
【図１１】
2021518966.tif 000027
【図１２】
2021518966.tif 000028
【図１３】
2021518966.tif 000029
【図１４】
2021518966.tif 000030
【図１５】
2021518966.tif 000031
【図１６】
2021518966.tif 000032
【図１７】
2021518966.tif 000033
【図１８】
2021518966.tif 000034
【手続補正書】
【提出日】令和2年10月28日(2020.10.28)
【手続補正２】
【補正対象書類名】特許請求の範囲
【補正対象項目名】全文
【補正方法】変更
【補正の内容】
【特許請求の範囲】
【請求項１】
コンピュータ装置が実行する医用画像認識方法であって、
認識対象医用画像集合を取得するステップであって、前記認識対象医用画像集合は、少なくとも１つの認識対象医用画像を含む、ステップと、
前記認識対象医用画像集合中の各認識対象医用画像に対応する認識対象領域を抽出するステップであって、前記認識対象領域は、前記認識対象医用画像中の一部の画像である、ステップと、
医用画像認識モデルで、各認識対象領域の認識結果を決定するステップであって、前記医用画像認識モデルは、医用画像サンプル集合に基づいてトレーニングして得られたものであり、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものであり、前記認識結果は、認識対象医用画像のタイプを示すためのものである、ステップとを含む、ことを特徴とする認識方法。
【請求項２】
認識対象医用画像集合を取得する前記ステップの前に、前記方法は、
認識対象オリジナル医用画像集合を取得するステップであって、前記認識対象オリジナル医用画像集合は、少なくとも１つの認識対象オリジナル医用画像を含む、ステップと、
前記認識対象オリジナル医用画像集合中の各認識対象オリジナル医用画像のラベル情報を取得するステップであって、前記ラベル情報は、前記認識対象オリジナル医用画像に関連する情報を含む、ステップと、
前記認識対象オリジナル医用画像集合から前記認識対象医用画像集合を取得するまで、前記認識対象オリジナル医用画像のラベル情報がサンプル抽出条件を満足すれば、前記認識対象オリジナル医用画像を前記認識対象医用画像として決定するステップとを更に含む、ことを特徴とする請求項１に記載の認識方法。
【請求項３】
認識対象医用画像集合を取得する前記ステップの前に、前記方法は、
認識対象オリジナル医用画像集合を取得するステップであって、前記認識対象オリジナル医用画像集合は、少なくとも１つの認識対象オリジナル医用画像を含む、ステップと、
前記認識対象オリジナル医用画像集合中の各認識対象オリジナル医用画像のラベル情報を取得するステップであって、前記ラベル情報は、前記認識対象オリジナル医用画像に関連する情報を含む、ステップと、
前記認識対象オリジナル医用画像のラベル情報がサンプル抽出条件を満足すれば、前記認識対象オリジナル医用画像を目標医用画像とマッチングするステップであって、前記目標医用画像は、予め設定された画像テンプレートである、ステップと、
前記認識対象オリジナル医用画像集合から前記認識対象医用画像集合を取得するまで、前記認識対象オリジナル医用画像と前記目標医用画像とのマッチングに成功すれば、前記認識対象オリジナル医用画像を前記認識対象医用画像として決定するステップとを更に含む、ことを特徴とする請求項１に記載の認識方法。
【請求項４】
前記認識対象医用画像集合中の各認識対象医用画像に対応する認識対象領域を抽出する前記ステップは、
所定の反射値に基づいて前記認識対象医用画像集合中の各認識対象医用画像を二値化処理し、前記各認識対象医用画像に対応する二値医用画像を取得するステップと、
目標医用画像を用いて各二値医用画像をマッチングして、前記各二値医用画像に対応する処理対象領域を抽出するステップであって、前記目標医用画像は、予め設定された画像テンプレートである、ステップと、
各処理対象領域に対して画像平滑化処理を行って、前記各処理対象領域に対応する抽出対象輪郭を生成するステップであって、前記画像平滑化処理は、前記各処理対象領域に対するオープニング処理又はクロージング処理のうちの少なくとも一方を含む、ステップと、
各抽出対象輪郭を用いて前記各認識対象医用画像から、対応する前記認識対象領域をそれぞれ抽出するステップとを含む、ことを特徴とする請求項１に記載の認識方法。
【請求項５】
前記認識対象医用画像集合中の各認識対象医用画像に対応する認識対象領域を抽出する前記ステップの後、前記方法は、
前記認識対象領域が第１の所定領域以上であれば、前記認識対象領域を縮小処理し、
前記認識対象領域が第２の所定領域以下であれば、前記認識対象領域を拡大処理するステップを更に含む、ことを特徴とする請求項１に記載の認識方法。
【請求項６】
前記認識対象医用画像集合中の各認識対象医用画像に対応する認識対象領域を抽出する前記ステップの後、前記方法は、
各認識対象領域に対応する反射値の区間を取得するステップであって、前記反射値の区間の最大値は第１の反射値であり、前記反射値の区間の最小値は第２の反射値である、ステップと、
前記反射値の区間に基づいて前記各認識対象領域を正規化処理して、正規化領域を得るステップと、を更に含み、
医用画像認識モデルで、各認識対象領域の認識結果を決定する前記ステップは、
前記医用画像認識モデルで、前記各認識対象領域の正規化領域に対応する認識結果を決定するステップを含み、
前記反射値の区間に基づいて前記各認識対象領域を正規化処理して、正規化領域を得る前記ステップは、
【数１】
2021518966.tif 000035
という式により前記正規化領域を得るステップであって、前記ｘｏｕｔは前記正規化領域を表し、前記ｘは前記認識対象領域の画素点の値を表し、前記ｘｍａｘは前記第１の反射値を表し、前記ｘｍｉｎは前記第２の反射値を表す、ステップを含む、ことを特徴とする請求項１から５のいずれか一項に記載の認識方法。
【請求項７】
コンピュータ装置が実行するモデルのトレーニング方法であって、
トレーニング対象の医用画像サンプル集合を取得するステップであって、前記医用画像サンプル集合は、少なくとも１つの医用画像サンプルを含み、各医用画像サンプルに、対応するアノテーション情報が含まれ、前記アノテーション情報は、医用画像サンプルのタイプを示すためのものである、ステップと、
前記医用画像サンプル集合中の各医用画像サンプルに対応するトレーニング対象領域を抽出するステップであって、前記トレーニング対象領域は、前記医用画像サンプル中の一部の画像である、ステップと、
前記各医用画像サンプルに対応するトレーニング対象領域と、前記各医用画像サンプルに含まれる対応するアノテーション情報とに基づいて、トレーニングして医用画像認識モデルを取得するステップとを含む、ことを特徴とする方法。
【請求項８】
前記各医用画像サンプルに対応するトレーニング対象領域と、前記各医用画像サンプルに含まれる対応するアノテーション情報とに基づいて、トレーニングして医用画像認識モデルを取得する前記ステップは、
確率的勾配降下アルゴリズムＳＧＤで、残差ネットワークｒｅｓｎｅｔ−１８構造により、前記各医用画像サンプルに対応するトレーニング対象領域と、前記各医用画像サンプルに含まれる対応するアノテーション情報とをトレーニングして、トレーニング結果を取得するステップと、
前記トレーニング結果に基づいて、複数の検証セット損失値を取得するステップと、
前記複数の検証セット損失値に基づいて、前記医用画像認識モデルを決定するステップとを含む、ことを特徴とする請求項７に記載の方法。
【請求項９】
前記複数の検証セット損失値に基づいて、前記医用画像認識モデルを決定する前記ステップは、
前記複数の検証セット損失値から、目標検証セット損失値を決定するステップであって、前記目標検証セット損失値は、前記複数の検証セット損失値のうちの最小値である、ステップと、
前記目標検証セット損失値に対応するトレーニング結果を前記医用画像認識モデルとして決定するステップとを含む、ことを特徴とする請求項８に記載の方法。
【請求項１０】
前記各医用画像サンプルに対応するトレーニング対象領域と、前記各医用画像サンプルに含まれる対応するアノテーション情報に基づいて、トレーニングして医用画像認識モデルを取得するステップの後、前記方法は、
認識対象医用画像集合を取得するステップであって、前記認識対象医用画像集合に、少なくとも１つの認識対象医用画像が含まれる、ステップと、
前記認識対象医用画像集合中の各認識対象医用画像に対応する認識対象領域を抽出するステップであって、前記認識対象領域は、前記認識対象医用画像中の一部の画像である、ステップと、
前記医用画像認識モデルで、各認識対象領域の認識結果を決定するステップであって、前記認識結果は、認識対象医用画像のタイプを示すためのものである、ステップとを更に含む、ことを特徴とする請求項７に記載の方法。
【請求項１１】
プログラムを記憶しているメモリと、
前記メモリに接続されるプロセッサと、を含み、
前記プロセッサは、前記プログラムを実行して、請求項１から６のいずれか一項に記載の認識方法を実現するように構成される、ことを特徴とするコンピュータ装置。
【請求項１２】
プログラムを記憶しているメモリと、
前記メモリに接続されるプロセッサと、を含み、
前記プロセッサは、前記プログラムを実行して、請求項７から１０のいずれか一項に記載の方法を実現するように構成される、ことを特徴とするコンピュータ装置。
【請求項１３】
画像処理装置と、
医用画像を走査し、前記画像処理装置に前記医用画像を送信するための画像走査装置と、を含む医用画像認識システムであって、
前記画像処理装置は、
請求項１から６のいずれか一項に記載の認識方法を実行するように構成されるか、
または、
請求項７から１０のいずれか一項に記載の方法を実行するように構成される、ことを特徴とする医用画像認識システム。
【請求項１４】
コンピュータに、請求項１から６のいずれか一項に記載の認識方法を実行させるためのプログラム。
【請求項１５】
コンピュータに、請求項７から１０のいずれか一項に記載の方法を実行させるためのプログラム。
【国際調査報告】
2021518966.tif 000036
2021518966.tif 000037
2021518966.tif 000038
2021518966.tif 000039